(57)【特許請求の範囲】
【請求項１】
表示画面と、入力手段を有する操作表示部と、
通貨の投入と排出を行う通貨投入排出口と、
取引情報を印刷した明細票を発行する書類印刷部と、を備え、前記通貨投入排出口から投入された通貨を外貨に両替する自動取引装置において、
前記表示画面に、両替可否情報と共に両替する外貨種別を選択可能に表示し、
前記入力手段により両替不可の外貨種別が選択された場合は、前記書類印刷部によって、前記両替不可の外貨種別の外貨に両替するための書類を印刷して発行することを特徴とする自動取引装置。
【請求項２】
請求項１に記載の自動取引装置において、
前記両替不可の外貨種別が選択された場合に、前記通貨投入排出口から当該両替に要する金額の通貨を投入させることを特徴とする自動取引装置。
【請求項３】
請求項１または請求項２に記載の自動取引装置において、
前記入力手段により両替可の外貨種別が選択された場合であって、外貨の両替ができないときは、前記書類印刷部によって、前記両替可の外貨種別の外貨に両替するための書類を印刷して発行することを特徴とする自動取引装置。
【請求項４】
請求項１ないし請求項３のいずれか一項に記載の自動取引装置において、
前記書類は、外貨の両替に用いる申込情報を印刷した申込書類であることを特徴とする自動取引装置。
【請求項５】
請求項４に記載の自動取引装置において、
前記申込書類に、前記申込情報をバーコードで印刷することを特徴とする自動取引装置。
【請求項６】
請求項４に記載の自動取引装置において、
前記申込書類に、前記申込情報を取得するための照会番号を印刷することを特徴とする自動取引装置。
【請求項７】
請求項１ないし請求項３のいずれか一項に記載の自動取引装置において、
前記書類は、外貨の両替に用いる申込書であることを特徴とする自動取引装置。
【請求項８】
管理サーバと、自動取引装置と、を接続した外貨両替システムにおいて、
前記管理サーバは、
通貨を外貨に両替するときの両替レートを格納する手段と、
前記自動取引装置へ、前記両替レートを送信する手段と、を備え、
前記自動取引装置は、
表示画面と、入力手段を有する操作表示部と、
通貨の投入と排出を行う通貨投入排出口と、
取引情報を印刷した明細票を発行する書類印刷部と、
前記管理サーバから送信された前記両替レートを受信する手段と、
前記受信した両替レートを基に、当該両替に要する金額を算出する手段と、
前記通貨投入排出口から、前記両替に要する金額の通貨が投入されたときに、前記通貨を外貨に両替する手段と、
前記表示画面に、両替可否情報と共に両替する外貨種別を選択可能に表示する手段と、
前記入力手段により両替不可の外貨種別が選択された場合に、前記書類印刷部によって、前記両替不可の外貨種別の外貨に両替するための書類を印刷して発行する手段と、を備
えることを特徴とする外貨両替システム。
【請求項９】
請求項８に記載の外貨両替システムにおいて、
前記自動取引装置は、
前記両替不可の外貨種別が選択された場合に、前記通貨投入排出口から前記両替に要する金額の通貨を投入させて、前記両替不可の外貨種別の外貨に両替するための書類を印刷して発行する手段と、を備えることを特徴とする外貨両替システム。
【請求項１０】
請求項８または請求項９に記載の外貨両替システムにおいて、
前記管理サーバに、申込書類発行装置を接続し、
前記管理サーバは、
前記申込書類発行装置へ、前記両替レートを送信する手段と、
前記申込書類発行装置から送信された申込情報を受信する手段と、
前記受信した申込情報に、照会番号を付与して格納する手段と、
前記付与した照会番号を、前記申込書類発行装置へ送信する手段と、
前記自動取引装置から送信された照会番号を受信する手段と、
前記受信した照会番号に該当する申込情報を、前記自動取引装置へ送信する手段と、を備え、
前記申込書類発行装置は、
顧客による前記申込情報の入力を受付ける手段と、
前記申込情報を、前記管理サーバへ送信する手段と、
前記管理サーバから、前記送信した申込情報に付与された照会番号を受信する手段と、
前記受信した照会番号を申込書類に印刷して発行する手段と、を備え、
前記自動取引装置は、
顧客による前記照会番号の入力を受付ける手段と、
前記受付けた照会番号を、前記管理サーバへ送信する手段と、
前記管理サーバから、前記送信した照会番号に該当する申込情報を受信する手段と、
前記通貨投入排出口から、前記申込情報に含まれる、前記両替に要する金額の通貨が投入されたときに、前記通貨を外貨に両替する手段と、を備えることを特徴とする外貨両替システム。
【発明の詳細な説明】
【技術分野】
【０００１】
本発明は、投入された通貨を外貨に両替する現金自動預払機等の自動取引装置および外貨両替システムに関する。
【背景技術】
【０００２】
従来の現金自動預払機は、外貨への両替を行う場合は、外貨種別選択画面から選択された外貨の両替レート等の両替情報をホストコンピュータから取得し、紙幣投入口から両替を行うための紙幣を投入させ、投入された金額に応じた外貨と明細票を排出している（例えば、特許文献１参照。）。
【先行技術文献】
【特許文献】
【０００３】
【特許文献１】特開２０００−１１３２８５号公報（段落０００７、０００８、第２図）
【発明の概要】
【発明が解決しようとする課題】
【０００４】
しかしながら、上述した従来の技術においては、現金自動預払機で取扱っていない外貨種別の紙幣を両替することができないという問題がある。
このような場合、窓口で両替を行おうとすると、外貨両替に用いる申込書の書式に従って、両替しようとする外貨の総額やその金種別の内訳枚数、外貨総額に店内に表示されている両替レートを乗じた日本円の支払額等の記載事項や氏名を記入することが必要になり、申込書の記載に時間を要するという問題がある。
【０００５】
また、窓口で受付けた申込書の記載に不備がある場合は、書直しが必要になり、窓口における取引に時間を要するという問題がある。
本発明は、上記の問題点を解決するためになされたもので、外貨両替における手続きの簡素化を図る手段を提供することを目的とする。
【課題を解決するための手段】
【０００６】
本発明は、上記課題を解決するために、表示画面と、入力手段を有する操作表示部と、通貨の投入と排出を行う通貨投入排出口と、取引情報を印刷した明細票を発行する書類印刷部と、を備え、前記通貨投入排出口から投入された通貨を外貨に両替する自動取引装置において、前記表示画面に、両替可否情報と共に両替する外貨種別を選択可能に表示し、前記入力手段により両替不可の外貨種別が選択された場合は、前記書類印刷部によって、前記両替不可の外貨種別の外貨に両替するための書類を印刷して発行することを特徴とする。
【発明の効果】
【０００７】
このようにした本発明は、両替不可の外貨種別の場合は、書類印刷部から当該外貨種別の外貨に両替するための申込書類を発行するので、顧客はその申込書類を窓口に提出すれば、所望の外貨種別の外国紙幣に容易に両替することができ、外貨両替における業務の効率化を図ることができると共に、外貨両替における手続きの簡素化を図ることができる。
【図面の簡単な説明】
【０００８】
【図１】実施例１の両替システムを示すブロック図
【図２】実施例１の外貨両替ＡＴＭを示すブロック図
【図３】実施例１の外貨両替ＡＴＭを示す説明図
【図４】実施例１の窓口端末を示すブロック図
【図５】実施例１の外貨両替ＡＴＭの外貨両替処理を示すフローチャート
【図６】実施例１の外貨両替ＡＴＭの外貨両替処理を示すフローチャート
【図７】実施例１の外貨両替ＡＴＭの外貨両替処理の縮退時処理を示すフローチャート
【図８】実施例１の外貨種別選択縮退画面の表示例を示す説明図
【図９】実施例１の外貨種別選択画面の表示例を示す説明図
【図１０】実施例１の出金外貨内訳入力画面の表示例を示す説明図
【図１１】実施例１の両替外貨内訳入力画面の表示例を示す説明図
【図１２】実施例２の外貨両替ＡＴＭの外貨両替処理を示すフローチャート
【図１３】実施例３の両替システムを示すブロック図
【図１４】実施例３のＡＴＭを示すブロック図
【図１５】実施例３の管理サーバの管理処理を示すフローチャート
【図１６】実施例３の外貨両替ＡＴＭの外貨両替処理を示すフローチャート
【図１７】実施例３の外貨両替ＡＴＭの外貨両替処理の縮退時処理を示すフローチャート
【図１８】実施例３の外貨種別選択画面の表示例を示す説明図
【図１９】実施例３のＡＴＭの申込書類作成処理を示すフローチャート
【図２０】実施例３の申込書類作成外貨種別選択画面の表示例を示す説明図
【図２１】実施例３の入力端末の申込書類発行処理を示すフローチャート
【図２２】実施例３の窓口端末の端末業務処理を示すフローチャート
【発明を実施するための形態】
【０００９】
以下に、図面を参照して本発明による自動取引装置および外貨両替システムの実施例について説明する。
【実施例１】
【００１０】
以下に、図１ないし図１１を用いて本実施例の外貨両替ＡＴＭおよび外貨両替システムについて説明する。
本実施例の銀行等の金融機関の支店やコンビニエンスストア等の店舗には、図１に示すように、自動取引装置としての外貨両替機能を有する現金自動預払機である外貨両替ＡＴＭ１と、管理サーバ２と、窓口端末３等が設置されている。
【００１１】
また、本実施例の外貨両替システムは、管理サーバ２と、複数の外貨両替ＡＴＭ１と、窓口端末３とを、図１に破線で示す、ＬＡＮ（Ｌｏｃａｌ  Ａｒｅａ  Ｎｅｔｗｏｒｋ）等の店内ネットワーク４により接続し、管理サーバ２を、金融機関のセンタに設置された上位装置としての両替レート配信サーバ６に、電話回線や専用回線等の通信回線７を介して接続して構成される。
管理サーバ２は、店内ネットワーク４を介して外貨両替ＡＴＭ１および窓口端末３に接続すると共に、通信回線７を介して両替レート配信サーバ６に接続しており、図２に示す構成を備えている。
【００１２】
管理サーバ２のサーバ制御部２ａは、管理サーバ２内の各部を制御して、店舗内の各装置を管理する管理処理等を実行する機能等を有している。
記憶部２ｂは、サーバ制御部２ａが実行するプログラムやそれに用いる各種のデータおよびサーバ制御部２ａによる処理結果等を格納する機能等を有しており、両替レート格納部２ｃが予め形成されている。
両替レート配信サーバ６は、定期的または随時に設定された手数料を含む両替レートを、各店舗の管理サーバ２へ配信する機能等を有している。
【００１３】
本実施例の外貨両替ＡＴＭ１は、顧客が操作して、顧客との間で外貨両替取引を含む現金による取引処理を自動で行う機能等を有しており、図２、図３に示す構成を備えている。
外貨両替ＡＴＭ１の制御部１１は、通信回線７を介して図示しないホストコンピュータに接続すると共に、店内ネットワーク４を介して管理サーバ２と接続しており、外貨両替ＡＴＭ１内の各部を制御して、外貨両替取引を含む取引処理等を実行する機能等を有している。
【００１４】
記憶部１２は、制御部１１が実行するプログラムやそれに用いる各種のデータおよび制御部１１による処理結果等が格納される。
操作表示部１３は、外貨両替ＡＴＭ１の前面に設けられ、ＬＣＤ等の表示画面とタッチパネル等の入力手段等を備えており、表示画面に取引選択画面や各種の入力画面等を表示する機能を有すると共に、入力手段により顧客からの入力を受付ける機能を有している。
【００１５】
顧客検知センサ１３ａは、操作表示部１３の前面側または操作表示部１３近傍の前面パネルに設けられた光学式等の近接センサであって、外貨両替ＡＴＭ１への顧客の接近および退去を検知して制御部１１へ顧客検知信号または顧客退去信号を出力する。
カード取扱部１４は、カード挿入口から挿入された顧客のキャッシュカードやクレジットカード等の取引カードの磁気ストライプやＩＣチップ等に記録されている顧客の口座情報等のカード情報を読み書きする機能等を有している。
【００１６】
書類印刷部としてのレシート発行部１５は、感熱式等の印刷ヘッドを備えており、通常の取引や、後述する外貨両替における日本円の入金後における取引内容等の取引情報をレシート用紙に印刷した明細票をレシート発行口１５ａから発行する機能、および両替窓口８（図１参照）において、自国の通貨（本実施例では、日本円）を外貨に両替するための書類としての、レシート用紙に申込情報を印刷した申込書類をレシート発行口１５ａから発行する機能等を有している。
【００１７】
本実施例の申込情報は、両替の申込書の記載事項に相当する構成を備えており、例えば、両替レート取得日時、その時点の両替レート、外貨の総額と、それに相当する両替に要する費用である日本円の支払額、両替する外貨の外貨種別とその金種別の内訳枚数等で構成される（詳細は、後述する）。
また、本実施例の申込情報は、申込情報を暗号化した、いわゆる１次元コードまたは２次元コード等のバーコード（本実施例では、２次元コードであるＱＲ（Ｑｕｉｃｋ  Ｒｅｓｐｏｎｓｅ）コード（株式会社デンソーの登録商標、ＪＩＳ  Ｘ  ０５１０−２００４））によって、レシート用紙に印刷される。
【００１８】
なお、以下の説明においては、日本国において流通する日本円の紙幣および硬貨を通貨といい、外国の通貨と区別する場合は日本の通貨または日本円という。
通帳取扱部１６は、通帳挿入口から挿入された顧客の通帳の磁気ストライプやＩＣチップ等に記録されている通帳情報を読み書きする機能を有すると共に、取引内容等を顧客の通帳に記帳する機能等を有している。
【００１９】
紙幣入出金部１７は、入金取引時等に通貨投入排出口としての紙幣入出金口１７ａ（図３参照）の図示しないシャッタを開放して顧客が投入した紙幣を受入れ、これを鑑別および計数して収納庫に収納し、出金取引時等に収納庫から出金紙幣を繰出し、これを鑑別および計数して紙幣入出金口１７ａに集積し、集積した出金紙幣を顧客に引渡す機能を有している。
なお、本実施例の紙幣入出金口１７ａは、後述する外国紙幣を集積する外貨出金口としても機能する。
【００２０】
硬貨入出金部１８は、入金取引時等に図示しない通貨投入排出口としての硬貨入出金口のシャッタを開放して顧客が投入した硬貨を受入れ、これを鑑別および計数して収納庫に収納し、出金取引時等に収納庫から出金硬貨を繰出し、これを鑑別および計数して硬貨入出金口に集積し、集積した出金硬貨を顧客に引渡す機能を有している。
外貨出金部１９は、外貨両替取引時に、外貨収納庫２１（図３参照）から両替のための外国紙幣を外貨搬送路２２に繰出して外貨鑑別部２３へ搬送し、外貨鑑別部２３で金種等の鑑別および計数して紙幣入出金口１７ａに集積し、集積した外国紙幣を顧客に引渡す機能を有している。
【００２１】
本実施例の外貨収納庫２１には、アメリカドル（単に、ドルという。）の１０ドル紙幣と１００ドル紙幣が金種別に収納されている。
窓口端末３は、両替窓口８に設置され、両替窓口８の窓口係員が操作する端末装置であって、図４に示す構成を備えている。
窓口端末３の制御部３１は、店内ネットワーク４を介して管理サーバ２と接続しており、窓口端末３内の各部を制御して、両替窓口８による外貨両替取引における窓口係員との日本円の入出金取引処理等を実行する機能等を有している。
【００２２】
記憶部３２は、制御部３１が実行するプログラムやそれに用いる各種のデータおよび制御部３１による処理結果等が格納される。
表示部３３は、ＬＣＤ等の表示画面を備えており、窓口係員が行う業務の業務選択画面や各種の入力画面等を表示する機能を有している。
入力部３４は、文字キーやテンキー、国内外で流通する紙幣の単位キー、「確認」キー等の各種の入力キーを備えており、窓口係員が両替窓口８での外貨両替取引のための各種の情報等を入力する。
【００２３】
印刷部３５は、印刷ヘッドを備えており、外貨両替取引の取引内容等の取引情報を印刷した明細票を排出する機能、外貨両替取引に必要な書類、例えば両替の申込書の書式に従った申込書等を印刷して排出する機能を有している。
画像情報読取部３６は、ＣＣＤ（Ｃｈａｒｇｅ  Ｃｏｕｐｌｅｄ  Ｄｅｖｉｃｅ）からなるラインセンサを有するスキャナ等を備えており、セットされた申込書類等に印刷された文字情報を読取って文字データ等に変換する機能、セットされた申込書類等に印刷されたバーコードの画像を読取り、その画像を解読してバーコードに含まれる申込情報を読出す機能等を有している。
【００２４】
紙幣入出金部３７は、入金取引時等に窓口係員が投入した紙幣を受入れ、これを鑑別および計数して収納庫に収納し、出金取引時等に収納庫から紙幣を繰出し、これを計数して窓口係員に引渡す機能を有している。
硬貨入出金部３８は、入金取引時等に窓口係員が投入した硬貨を受入れ、これを鑑別および計数して収納庫に収納し、出金取引時等に収納庫から硬貨を繰出し、これを計数して窓口係員に引渡す機能を有している。
【００２５】
上記の外貨両替ＡＴＭ１の記憶部１２には、顧客が選択した取引の入力を受付け、これを基に図示しないホストコンピュータと交信して顧客との取引処理を自動で行う自動取引機能等を有する通常の取引処理プログラム、図５、図６、図７を用いて説明する管理サーバ２と連携した本実施例の外貨両替処理を行う機能を有するアプリケーションプログラム等からなる業務処理プログラムが予め格納されており、制御部１１が実行する業務処理プログラムのステップにより本実施例の外貨両替ＡＴＭ１の各機能手段が形成される。
【００２６】
また、記憶部１２には、稼働状態が待機状態になったことを判定するための待機判定時間（本実施例では、３分程度）が予め設定されて格納され、外貨両替ＡＴＭ１の稼働状態を「稼働中」「待機中」「縮退中」として格納するための稼働状態格納エリアが、予め確保されている。
【００２７】
管理サーバ２の記憶部２ｂには、両替レート配信サーバ６や、店舗内の外貨両替ＡＴＭ１、窓口端末３に接続して図５等に示す外貨両替ＡＴＭ１の外貨両替処理において説明する、本実施例の管理処理を行う機能を有するアプリケーションプログラム等からなる管理処理プログラムが予め格納されており、管理サーバ２が実行する管理処理プログラムのステップにより本実施例の管理サーバ２の各機能手段が形成される。
また、記憶部２ｂには、外貨種別（ドル、ユーロ等）毎に配信された最新の両替レートを外貨種別毎に格納する格納エリアからなる  両替レート格納部２ｃが、予め形成されている。
【００２８】
窓口端末３の記憶部３２には、図５等に示す外貨両替ＡＴＭ１の外貨両替処理において説明する、本実施例の端末業務処理を行う機能を有するアプリケーションプログラム等からなる端末業務処理プログラムが予め格納されており、制御部３１が実行する端末業務処理プログラムのステップにより本実施例の窓口端末３の各機能手段が形成される。
【００２９】
両替レート配信サーバ６には、定期的または随時に設定された両替レートを、各店舗の管理サーバ２へ配信する機能等を有するアプリケーションプログラム等からなる両替レート配信処理プログラムが予めインストールされており、両替レート配信サーバ６が実行する両替レート配信処理プログラムのステップにより本実施例の両替レート配信サーバ６の各機能手段が形成される。
【００３０】
以下に、図５、図６に示すフローチャートを用い、Ｓで示すステップに従って本実施例の外貨両替ＡＴＭ１による外貨両替ＡＴＭ１による外貨両替処理について説明する。
金融機関の店舗の係員が、始業時等に管理サーバ２へ電源を投入すると、管理サーバ２の記憶部２ｂに格納されている管理処理プログラムが自動的に起動される。
【００３１】
これにより、サーバ制御部２ａは管理処理を開始し、両替レート配信サーバ６から通信回線７を介して定期的または随時に配信される外貨種別毎の最新の両替レートを、受信の度に、記憶部２ｂの両替レート格納部２ｃの外貨種別毎の格納エリアの両替レートを更新しながら、外貨両替ＡＴＭ１からの両替レート取得要求の受信を待って待機する。
また、金融機関の店舗の係員が、始業時等に外貨両替ＡＴＭ１へ電源を投入すると、外貨両替ＡＴＭ１の記憶部１２に格納されている業務処理プログラムが自動的に起動される。
【００３２】
Ｓ１：業務処理プログラムが起動すると、外貨両替ＡＴＭ１の制御部１１は、操作表示部１３の表示画面に「いらっしゃいませ。」等の来店に対する謝意を表す文言等を表示した初期画面を表示する。
Ｓ２：初期画面を表示した制御部１１は、その時計機能により、記憶部１２に格納されている待機判定時間（本実施例では、３分程度）の経過を待って待機しており、待機判定時間が経過した時にステップＳ３へ移行する。待機判定時間が経過していない場合はステップＳ４へ移行する。
【００３３】
Ｓ３：待機判定時間が経過を判定した制御部１１は、記憶部１２の稼働状態格納エリアの稼働状態を「待機中」に書替えてステップＳ４へ移行する。
Ｓ４：制御部１１は、外貨両替ＡＴＭ１内の各部を確認して外貨両替処理実行の可否を判定し、障害等の発生により以下で説明する常時の処理動作が不可の場合は、外貨両替ＡＴＭ１による外貨の両替ができないと判定してステップＳ５へ移行する。常時の処理動作が可能の場合はステップＳ９へ移行する。
【００３４】
Ｓ５：障害等の発生により常時の処理動作が不可と判定した制御部１１は、レシート発行部１５による印刷動作の可否を判定し、申込書類を印刷する印刷動作が不可能な場合はステップＳ６へ移行する。申込書類を印刷する印刷動作が可能な場合はステップＳ７へ移行する。
Ｓ６：レシート発行部１５による印刷動作が不可と判定した制御部１１は、操作表示部１３の表示画面に、外貨の取扱ができない旨の文言を表示した外貨取扱中止画面を表示して、外貨両替ＡＴＭ１の運用を停止させ、保守員によるレシート発行部１５等の復旧を待って待機する。
【００３５】
Ｓ７：印刷動作が可能と判定した制御部１１は、記憶部１２の稼働状態格納エリアの稼働状態を「縮退中」に書替えてステップＳ８へ移行する。
Ｓ８：稼働状態を「縮退中」に書替えた制御部１１は、操作表示部１３の表示画面に表示している初期画面を、図８に示す外貨種別選択縮退画面に差替えて表示しステップＳ９へ移行する。
【００３６】
外貨種別選択縮退画面には、外貨両替ＡＴＭ１による両替が不可能である旨の文言、後のステップＳＡ５（図７）で発行される申込書類を用いて両替窓口８での両替が可能である旨の文言、両替窓口８で両替する外貨種別の選択を促す旨の文言、外貨種別毎の選択ボタン等が表示される。
なお、後述する縮退時処理中は（図７参照）、初期画面に替えて外貨種別選択縮退画面が表示され、ステップＳ２はスキップされる。
【００３７】
Ｓ９：制御部１１は、顧客検知センサ１３ａからの出力を監視しながら、顧客検知センサ１３ａが顧客を検知するのを待つ顧客待ち状態で待機しており、顧客検知センサ１３ａから顧客検知信号が出力されたときにステップＳ１０へ移行する。
顧客検知信号が出力されていない場合、つまり顧客退去信号が出力されている場合は、ステップＳ１へ戻り、操作表示部１３の表示画面に初期画面（縮退時処理中は、外貨種別選択縮退画面）を表示しながら、ステップＳ２による待機判定時間の経過待ち状態での待機、ステップＳ４による外貨両替ＡＴＭ１内の各部の確認、ステップＳ９による顧客待ち状態での待機を継続する。
【００３８】
Ｓ１０：顧客を検知した制御部１１は、記憶部１２の稼働状態格納エリアの稼働状態を確認し、稼働状態が「縮退中」でない場合はステップＳ１１へ移行する。
稼働状態が「縮退中」の場合は、外貨両替ＡＴＭ１の縮退時における縮退時処理を実行するために、結合子Ａを介して図７のステップＳＡ１へ移行する。
Ｓ１１：稼働状態が「縮退中」でないことを認識した制御部１１は、記憶部１２の稼働状態格納エリアの稼働状態を「稼働中」に書替えてステップＳ１２へ移行する。
【００３９】
Ｓ１２：稼働状態を「稼働中」に書替えた制御部１１は、操作表示部１３の表示画面に取引選択画面を表示し、顧客による取引選択ボタンの押下を待って待機する。
取引選択画面には、取引選択ボタンの押下を促す旨の文言と、出金取引のための「お引き出し」ボタン、入金取引のための「お預け入れ」ボタン、振込取引のための「お振り込み」ボタン、口座残高を照会する残高照会取引のための「残高照会」ボタン、通帳に未記入の取引データを記帳する通帳記帳取引のための「通帳記帳」ボタン、日本円を外貨に両替する外貨両替取引を行うための「外貨両替」ボタン等の取引を選択するための取引選択ボタンが表示されている。
【００４０】
本実施例では、操作者としての顧客は外貨両替取引を選択し、操作表示部１３の表示画面からタッチパネルによって「外貨両替」ボタンを押下する。
Ｓ１３：顧客が選択した取引を操作表示部１３の入力手段により認識した制御部１１は、認識した取引が外貨両替取引の場合はステップＳ１５へ移行する。認識した取引が、外貨両替取引以外の通常取引の場合はステップＳ１４へ移行する。
Ｓ１４：顧客が選択した取引を通常取引と認識した制御部１１は、入金取引や出金取引等の通常取引の取引処理を実行する。
【００４１】
なお、通常取引の場合の処理動作は、通常の現金自動預払機の処理動作と同様であるのでその説明を省略する。また、通常取引の処理動作の終了時には、レシート発行部１５から当該取引の取引内容が印刷された明細票が発行される。
通常取引の取引処理の実行を終えた制御部１１は、その取引処理を終了させステップＳ１へ戻り、操作表示部１３の表示画面に初期画面を表示しながら、ステップＳ２による待機判定時間の経過待ち状態での待機、ステップＳ４による外貨両替ＡＴＭ１内の各部の確認、ステップＳ９による顧客待ち状態での待機を継続する。
【００４２】
Ｓ１５：顧客が選択した取引を外貨両替取引と認識した制御部１１は、操作表示部１３の表示画面に、図９に示す外貨種別選択画面を表示する。
外貨種別選択画面には、外貨種別の選択を促す旨の文言、外貨種別毎の選択ボタン、および外貨種別毎に、外貨両替ＡＴＭ１による両替の可否を表す文言からなる両替可否情報等が表示される。
【００４３】
本実施例では、選択ボタンとして「ドル」と「ユーロ」が表示され、ドルに対しては、外貨両替ＡＴＭ１による両替が可能である旨の文言からなる両替可否情報が表示され、ユーロに対しては、外貨両替ＡＴＭ１による両替が不可能であり、後のステップＳ２９で発行される申込書類を用いて両替窓口８での両替が可能である旨の文言からなる両替可否情報が表示される。
顧客は、日本円をドルに両替する場合は「ドル」ボタンを、ユーロに両替する場合は「ユーロ」ボタンを押下する。
そして、制御部１１は、外貨種別の選択ボタンの押下を操作表示部１３の入力手段により認識したときに、結合子Ｂを介して図６のステップＳ１６へ移行する。
【００４４】
Ｓ１６（図６）：顧客が押下した選択ボタンを認識した制御部１１は、押下された選択ボタンが「ドル」ボタンであることにより、選択された外貨種別が、外貨両替ＡＴＭ１に収納されているドルと認識した場合は、日本円からドルへの両替を行うためにステップＳ１７へ移行する。
押下された選択ボタンが「ユーロ」ボタンであることにより、選択された外貨種別が、外貨両替ＡＴＭ１に収納されていないユーロと認識した場合は、両替窓口８における外貨両替取引に用いる申込書類を作成するためにステップＳ２５へ移行する。
【００４５】
Ｓ１７：日本円からドルへの両替の実行を判定した制御部１１は、操作表示部１３の表示画面に、図１０に示す出金外貨内訳入力画面を表示する。
出金外貨内訳入力画面には、選択した外貨種別（本ステップではドル）の内訳枚数の入力を促す旨の文言、選択された外貨種別の金種別の選択ボタン、および金種別に出金する内訳枚数の入力欄、内訳枚数を入力するためのテンキー、入力の間違いを訂正するための「訂正」ボタン、入力の終了を指示するための「確認」ボタン等が表示される。
本実施例では、出金する金種として「１０ドル」と「１００ドル」が表示され、顧客は金種別の選択ボタンを押下しながらその入力欄にテンキーにより希望する内訳枚数を入力し、金種別の内訳枚数の入力を終えたときに「確認」ボタンを押下する。
【００４６】
Ｓ１８：「確認」ボタンの押下によりドルの金種別内訳枚数の入力終了を認識した制御部１１は、選択された外貨種別（本ステップでは、ドル）に対する両替レートを取得するために、選択された外貨種別を含む両替レート取得要求を店内ネットワーク４を介して管理サーバ２へ送信し、管理サーバ２のサーバ制御部２ａは、両替レート格納部２ｃの外貨種別毎の格納エリアから、両替レート取得要求の外貨種別に該当する最新の両替レートを読出し、読出した両替レートを送信元の外貨両替ＡＴＭ１へ送信する。
【００４７】
Ｓ１９：最新の両替レートを取得した外貨両替ＡＴＭ１の制御部１１は、入力された外貨の金種別の内訳枚数を基に両替する外貨の総額を算出し、これに取得した両替レートを乗じて、両替に要する費用に相当する金額として日本円の入金額を算出する。
入金額の算出を終えた制御部１１は、操作表示部１３の表示画面に、入金額に相当する日本の通貨の投入を促す旨の文言、算出した日本円の入金額等を表示し、紙幣入出金口１７ａおよび硬貨入出金口のシャッタを開放して顧客による通貨の投入を待って待機し、通貨が投入されたときにステップＳ２０へ移行する。
【００４８】
Ｓ２０：紙幣入出金口１７ａおよび／もしくは硬貨入出金口に、紙幣および／もしくは硬貨が投入されたことを認識した制御部１１は、それぞれのシャッタを閉鎖し、紙幣入出金部１７および／もしくは硬貨入出金部１８によって、投入された通貨を鑑別および計数して一時保留する入金通貨取込処理を実行し、計数した金種別の枚数を基に顧客が投入した通貨の投入額を算出する。
Ｓ２１：投入額の算出を終えた制御部１１は、操作表示部１３の表示画面に、投入額の確認を促す旨の文言、算出した投入額、表示された投入額の確定を指示する「確認」ボタン等を表示して、顧客による「確認」ボタンの押下を待って待機し、「確認」ボタンが押下されたときにステップＳ２２へ移行する。
【００４９】
Ｓ２２：「確認」ボタンの押下により投入額の確定を認識した制御部１１は、一時保留した通貨をそれぞれの収納庫に収納する入金通貨収納処理を実行する。
このとき、釣銭が必要な場合は、それぞれの収納庫から釣銭に相当する通貨を繰出し、鑑別および計数後に、紙幣入出金口１７ａおよび／もしくは硬貨入出金口に集積し、集積した入出金口のシャッタを開放して顧客に釣銭を返却する。
【００５０】
Ｓ２３：入金通貨収納処理または顧客への釣銭の返却を終えた制御部１１は、外貨両替処理を実行する。
すなわち、制御部１１は、上記ステップＳ１７で内訳枚数が入力された金種の外国紙幣（本ステップではドル）を収納した外貨出金部１９の外貨収納庫２１から、外国紙幣を外貨搬送路２２へ繰出して外貨鑑別部２３へ搬送し、外貨鑑別部２３で鑑別した金種を基に金種別の枚数を計数しながら紙幣入出金口１７ａに集積し、集積枚数が金種別の内訳枚数に達したときに、紙幣入出金口１７ａのシャッタを開放する。
【００５１】
これと並行して、制御部１１は、レシート発行部１５によって、発行日時や今回の外貨両替処理における外貨の総額や入金額等の取引情報を明細票に印刷してレシート発行口１５ａから排出する。
そして、制御部１１は、紙幣入出金口１７ａに集積した外国紙幣や明細票の顧客による受取りを待って待機する。
【００５２】
Ｓ２４：紙幣入出金口１７ａに集積した外国紙幣や明細票の顧客による受取りを待って待機していた制御部１１は、顧客による両替した外国紙幣や明細票の受取りを確認し、顧客検知センサ１３ａからの顧客退去信号を確認したときに、今回の外貨両替処理を終了させ、ステップＳ１へ戻り、操作表示部１３の表示画面に初期画面を表示しながら、ステップＳ４による外貨両替ＡＴＭ１内の各部の確認、ステップＳ９による顧客待ち状態での待機を継続する。
【００５３】
Ｓ２５：上記ステップＳ１６において、選択された外貨種別が、外貨両替ＡＴＭ１に収納されていないユーロであることによって、両替窓口８における両替に用いる申込書類の作成を判定した制御部１１は、操作表示部１３の表示画面に、図１１に示す両替外貨内訳入力画面を表示する。
両替外貨内訳入力画面には、選択した外貨種別（本ステップではユーロ）の内訳枚数の入力を促す旨の文言、選択された外貨種別の金種別の選択ボタン、および金種別に両替する内訳枚数の入力欄、内訳枚数を入力するためのテンキー、入力の間違いを訂正するための「訂正」ボタン、入力の終了を指示するための「確認」ボタン等が表示される。
【００５４】
本実施例では、出金する金種として「１０ユーロ」と「１００ユーロ」が表示され、顧客は金種別の選択ボタンを押下しながらその入力欄にテンキーにより希望する内訳枚数を入力し、金種別の内訳枚数の入力を終えたときに「確認」ボタンを押下する。
Ｓ２６：「確認」ボタンの押下によりユーロの金種別内訳枚数の入力終了を認識した制御部１１は、上記ステップＳ１８と同様にして、選択された外貨種別（本ステップでは、ユーロ）に対する最新の両替レートを取得すると共に、その時計機能により認識した現在日時（年月日、時分秒を含む。）を両替レート取得日時として記憶部１２に一時保存してステップＳ２７へ移行する。
【００５５】
Ｓ２７：最新の両替レートを取得した外貨両替ＡＴＭ１の制御部１１は、入力された外貨の金種別の内訳枚数を基に両替する外貨の総額を算出し、これに取得した両替レートを乗じて、両替窓口８での両替に要する費用に相当する金額として日本円の支払額を算出する。
Ｓ２８：支払額の算出を終えた制御部１１は、ステップＳ２６で一時保存した両替レート取得日時、取得した両替レート、ステップＳ２７で算出した日本円の支払額、ステップＳ２５で入力された外貨種別とその金種別の内訳枚数、ステップＳ２９で発行する申込書類を両替窓口８に提出して、表示した支払額に相当する日本円と共に提出すれば、選択した外貨種別の外国紙幣を内訳枚数に分けて受取ることができる旨の文言等を表示した両替窓口誘導画面を表示してステップＳ２９へ移行する。
【００５６】
Ｓ２９：両替窓口誘導画面を表示した制御部１１は、両替窓口８での外貨両替取引に用いる申込書類の印刷処理を実行する。
すなわち、制御部１１は、上記ステップ２０で一時保存した両替レート取得日時、その時点で取得した両替レート、ステップＳ２７で算出した外貨の総額と、それに相当する日本円の支払額、ステップＳ２５で入力された外貨種別とその金種別の内訳枚数等からなる申込情報を生成し、生成した申込情報を暗号化してバーコードに変換したバーコード印刷データと、発行日付、入力された外貨種別とその金種別の内訳枚数、日本円の支払額等からなる文字情報の印刷データをレシート発行部１５に送って、バーコードや文字情報を印刷した、外貨両替のための申込書類を作成し、これをレシート発行口１５ａから排出して、顧客による申込書類の受取りを待って待機する。
【００５７】
Ｓ３０：顧客による申込書類の受取りを待って待機していた制御部１１は、顧客による申込書類の受取りを確認し、顧客検知センサ１３ａからの顧客退去信号を確認したときに、今回の外貨両替処理を終了させ、ステップＳ１へ戻り、操作表示部１３の表示画面に初期画面を表示しながら、ステップＳ２による待機判定時間の経過待ち状態での待機、ステップＳ４による外貨両替ＡＴＭ１内の各部の確認、ステップＳ９による顧客待ち状態での待機を継続する。
このようにして、本実施例の外貨両替ＡＴＭ１による外貨両替処理が実行される。
【００５８】
一方、顧客は、発行された申込書類を持参して、申込書類に印刷されている支払額に相当する日本円と共に、両替窓口８の窓口係員（図１参照）に提出し、窓口係員は、申込書類と日本円を受取って、受取った申込書類を窓口端末３の画像情報読取部３６のスキャナにセットし、窓口端末３の表示部３３に表示されている業務選択画面から「外貨両替」を選択する。
【００５９】
窓口係員の選択を認識した窓口端末３の制御部３１は、画像情報読取部３６によってセットされた申込書類の画像を読取り、そのバーコードの画像を解読してバーコードに含まれる申込情報を読出し、読出した申込情報を表示部３３に表示する。
窓口係員は、表示部３３に表示された申込情報が、誤解読等がなく正常に解読されたことを確認すると共に、受取った日本円が表示された日本円の支払額以上であることを確認して、入力部３４の「確認」キーを押下する。
【００６０】
「確認」キーの押下を認識した制御部３１は、表示部３３に支払額の投入を促す旨の文言を表示し、窓口係員が顧客から受取った日本円を、紙幣入出金部３７および／もしくは硬貨入出金部３８に投入すると、制御部３１は、紙幣入出金部３７および／もしくは硬貨入出金部３８によって、投入された通貨を鑑別および計数して一時保留し、投入された通貨の投入額を算出して、その投入額を表示部３３に表示する。
窓口係員が、表示された投入額を顧客に確認して、入力部３４の「確認」キーを押下すると、制御部３１は、一時保留した通貨をそれぞれの収納庫に収納する。
【００６１】
通貨を収納した制御部３１は、印刷部３５によって、両替の申込書の書式に従った申込書を印刷して排出すると共に、取引日時や今回の外貨両替処理における外貨の総額や支払額等の取引情報を印刷した明細票を排出する。このとき、釣銭が必要な場合は、それぞれの収納庫から釣銭に相当する通貨を繰出して排出する。
窓口係員は、排出された申込書に顧客の署名を求め、顧客が申込書に署名すると、排出された明細票と共に、申込書類に印刷された外貨種別の外国紙幣を内訳枚数に分けて顧客に手渡す。このとき釣銭が排出されている場合は排出された釣銭を顧客に返却する。
このようにして、本実施例の外貨両替ＡＴＭ１による外貨両替処理が実行される。
【００６２】
以下に、図７に示すフローチャートを用い、ＳＡで示すステップに従って本実施例の外貨両替ＡＴＭ１による外貨両替処理の縮退時処理について説明する。
本実施例における縮退時処理は、紙幣入出金部１７および硬貨入出金部１８の収納庫の少なくとも一つが満杯状態であるために、投入された日本円の収納処理が実行できない場合、紙幣入出金部１７や硬貨入出金部１８の搬送路および外貨出金部１９の外貨搬送路２２のどこかでジャム等の搬送障害が発生した後の保守員による復旧作業の開始前であるために、日本円の入出金や外貨への両替ができない場合、外貨収納庫２１の少なくとも一つの収納枚数が過少（空を含む）になって、顧客が要望する外貨に両替することができないと判定された場合等の、外貨両替ＡＴＭ１によるその場での外貨の両替ができない場合に実行される。
【００６３】
ＳＡ１：レシート発行部１５による印刷動作が可能であることにより、装置の縮退時における縮退時処理を実行するために、結合子Ａを介して図５のステップＳ１０から移行した外貨両替ＡＴＭ１の制御部１１は、操作表示部１３の表示画面に外貨種別選択縮退画面（図８）を表示しながら、外貨種別の選択ボタンの押下を待って待機し、顧客が選択ボタンが押下したときにステップＳＡ２へ移行する。選択ボタンが押下されていないときは前記の待機を継続する。
本実施例の外貨種別選択縮退画面には、選択ボタンとして「ドル」と「ユーロ」が表示され、顧客は、両替窓口８で日本円をドルに両替する場合は「ドル」ボタンを押下し、ユーロに両替する場合は「ユーロ」ボタンを押下する。
【００６４】
ＳＡ２：顧客が選択ボタンを押下したことを認識した制御部１１は、「ドル」ボタンが押下された場合は、ドルの金種別内訳枚数を入力するための両替外貨内訳入力画面（図１０と同様の画面）を、「ユーロ」ボタンが押下された場合は、ユーロの金種別内訳枚数を入力するための図１１に示す両替外貨内訳入力画面を、操作表示部１３の表示画面に表示する。
両替外貨内訳入力画面には、選択した外貨種別の内訳枚数の入力を促す旨の文言、選択された外貨種別の金種別の選択ボタン、および金種別に両替する内訳枚数の入力欄、内訳枚数を入力するためのテンキー、入力の間違いを訂正するための「訂正」ボタン、入力の終了を指示するための「確認」ボタン等が表示される。
【００６５】
本実施例では、顧客は金種別の選択ボタンを押下しながらその入力欄にテンキーにより希望する内訳枚数を入力し、金種別の内訳枚数の入力を終えたときに「確認」ボタンを押下する。
その後のステップＳＡ３〜ＳＡ６の処理動作は、上記図５のステップＳ２６〜Ｓ２９の処理動作と同様であるので、その説明を省略する。
この場合に、顧客が「ドル」ボタンを押下したときは、ステップＳＡ２において、ドルに対する両替レートが取得される。
【００６６】
ＳＡ７：顧客による申込書類の受取りを待って待機していた制御部１１は、顧客による申込書類の受取りを確認し、顧客検知センサ１３ａからの顧客退去信号を確認したときに、今回の外貨両替処理を終了させ、ステップＳ１へ戻り、操作表示部１３の表示画面に、ステップＳ８による外貨種別選択縮退画面を表示しながら、ステップＳ９による顧客待ち状態での待機を継続する。
このようにして、本実施例の外貨両替ＡＴＭ１による外貨両替処理の縮退時処理が実行される。
【００６７】
以上説明したように、本実施例の常時の外貨両替処理においては、顧客が外貨両替ＡＴＭ１を用いて両替する外貨種別を選択してその金種別の内訳枚数を入力すれば、外貨両替ＡＴＭ１に収納されている両替可能な外貨種別は、その場で両替することができる。
また、外貨両替ＡＴＭ１に収納されていない両替不可の外貨種別は、レシート発行部１５から両替に用いる申込書類を発行するので、顧客がその申込書類を両替窓口８に提出すれば、所望の外貨種別の外国紙幣に容易に両替することができ、顧客による両替の申込書の記入時間と、両替窓口８での窓口担当者による申込書の確認時間を短縮して、外貨両替における窓口業務の効率化を図ることができると共に、外貨両替における手続きの簡素化を図ることができる。
【００６８】
また、本実施例の外貨両替処理の縮退時処理においては、外貨両替ＡＴＭ１に発生した障害により、その場での外貨の両替ができない状態であっても、レシート発行部１５による印刷動作が可能であれば、顧客が両替窓口８に提出する所望の外貨種別の申込書類を発行するので、顧客による両替の申込書の記入時間と、窓口での窓口担当者による申込書の確認時間を短縮することができ、両替窓口８における混雑を緩和することができると共に、外貨両替ＡＴＭ１の運用効率の向上を図ることができる。
【実施例２】
【００６９】
以下に、図５および図１２を用いて本実施例の外貨両替ＡＴＭについて説明する。なお上記実施例１と同様の部分は、同一の符号を付してその説明を省略する。
本実施例の外貨両替ＡＴＭ１の記憶部１２には、上記実施例１と同様の、通常の取引処理プログラム、図５、図１２を用いて説明する外貨両替処理を行う機能を有するアプリケーションプログラム等からなる業務処理プログラムが予め格納されており、制御部１１が実行する業務処理プログラムのステップにより本実施例の外貨両替ＡＴＭ１の各機能手段が形成される。
【００７０】
また、記憶部１２には、上記実施例１と同様の待機判定時間（本実施例では、３分程度）が予め設定されて格納され、上記実施例１と同様の稼働状態格納エリアが、予め確保されている。
本実施例の管理サーバ２の記憶部２ｂには、上記実施例１と同様の、管理処理プログラムが予め格納されており、管理サーバ２が実行する管理処理プログラムのステップにより本実施例の管理サーバ２の各機能手段が形成される。
【００７１】
また、本実施例の記憶部２ｂには、上記実施例１と同様の、両替レート格納部２ｃが、予め形成されている。
窓口端末３の記憶部３２には、上記実施例１と同様の、端末業務処理プログラムが予め格納されており、制御部３１が実行する端末業務処理プログラムのステップにより本実施例の窓口端末３の各機能手段が形成される。
両替レート配信サーバ６には、上記実施例１と同様の、両替レート配信処理プログラムが予めインストールされており、両替レート配信サーバ６が実行する両替レート配信処理プログラムのステップにより本実施例の両替レート配信サーバ６の各機能手段が形成される。
【００７２】
以下に、図５、図１２に示すフローチャートを用い、ＳＢで示すステップに従って本実施例の外貨両替ＡＴＭ１による外貨両替処理について説明する。
なお、以下の説明においては、図５に示すＳで示すステップ名は、ＳＢに読み替えて引用する。
また、ステップＳＢ１５において、外貨両替ＡＴＭ１の制御部１１は、外貨種別の選択ボタンの押下を操作表示部１３の入力手段により認識したときに、結合子Ｃを介して図１２のステップＳＢ１６へ移行する。
【００７３】
本実施例のステップＳＢ１〜ＳＢ２５の処理動作は、上記実施例１のステップＳ１〜Ｓ２５の処理動作と同様であるので、その説明を省略する。
ＳＢ２６：「確認」ボタンの押下によりユーロの金種別内訳枚数の入力終了を認識した制御部１１は、上記実施例１のステップＳ１８と同様にして、選択された外貨種別（本ステップではユーロ）に対する最新の両替レートを取得し、時計機能により認識した、両替レートを取得した現在日時を両替レート取得日時として記憶部１２に一時保存してステップＳＢ２７へ移行する。
【００７４】
ＳＢ２７：最新の両替レートを取得した外貨両替ＡＴＭ１の制御部１１は、入力された外貨の金種別の内訳枚数を基に両替する外貨の総額を算出し、これに取得した両替レートを乗じて、両替に必要な費用として日本円の支払額を算出する。
支払額の算出を終えた制御部１１は、操作表示部１３の表示画面に、支払額に相当する日本の通貨の投入を促す旨の文言、算出した日本円の支払額等を表示し、紙幣入出金口１７ａおよび硬貨入出金口を開放して顧客による通貨の投入を待って待機し、通貨が投入されたときにステップＳＢ２８へ移行する。
【００７５】
ＳＢ２８：紙幣入出金口１７ａおよび／もしくは硬貨入出金口に、紙幣および／もしくは硬貨が投入されたことを認識した制御部１１は、上記実施例１のステップＳ２０と同様にして、支払通貨取込処理を実行し、計数した金種別の枚数を基に顧客が投入した通貨の投入額を算出する。
ＳＢ２９：投入額の算出を終えた制御部１１は、操作表示部１３の表示画面に、投入額の確認を促す旨の文言、算出した投入額、表示された投入額の確定を指示する「確認」ボタン等を表示して、顧客による「確認」ボタンの押下を待って待機し、「確認」ボタンが押下されたときにステップＳＢ３０へ移行する。
【００７６】
ＳＢ３０：「確認」ボタンの押下により投入額の確定を認識した制御部１１は、一時保留した通貨をそれぞれの収納庫に収納する支払通貨収納処理を実行する。
このとき、釣銭が必要な場合は、それぞれの収納庫から釣銭に相当する通貨を繰出し、鑑別および計数後に、紙幣入出金口１７ａおよび／もしくは硬貨入出金口に集積し、集積した入出金口のシャッタを開放して顧客に釣銭を返却する。
【００７７】
ＳＢ３１：支払通貨収納処理または顧客への釣銭の返却を終えた制御部１１は、両替レート取得日時、取得した両替レート、算出した日本円の支払額、入力された外貨種別とその金種別の内訳枚数、ステップＳＢ３２で発行する申込書類を両替窓口８に提出すれば、選択した外貨種別の外国紙幣を入力した内訳枚数に分けて受取ることができる旨の文言等を表示した両替窓口誘導画面を表示してステップＳＢ３２へ移行する。
ＳＢ３２：両替窓口誘導画面を表示した制御部１１は、制御部１１は、両替窓口８での外貨両替取引に用いる申込書類の印刷処理を実行する。
【００７８】
すなわち、制御部１１は、ステップＳＢ２６で一時保存した両替レート取得日時、その時点で取得した両替レート、ステップＳＢ２７で算出した外貨の総額と、それに相当する日本円の支払額、ステップＳＢ２５で入力された外貨種別とその金種別の内訳枚数、両替に要する費用を予め支払った旨の情報等からなる申込情報を生成し、生成した申込情報を暗号化してバーコードに変換したバーコード印刷データと、発行日付、入力された外貨種別とその金種別の内訳枚数、両替に要する費用を予め支払った旨の「支払済」等の文言等からなる文字情報の印刷データをレシート発行部１５に送って、バーコードや文字情報を印刷した申込書類を作成し、これをレシート発行口１５ａから排出する。
これと並行して、制御部１１は、レシート発行部１５によって、発行日時や今回の外貨両替処理における外貨の総額や支払額等の取引情報を明細票に印刷してレシート発行口１５ａから排出する。
【００７９】
そして、制御部１１は、申込書類や明細票の顧客による受取りを待って待機する。
ＳＢ３３：レシート発行口１５ａから排出した申込書類や明細票の顧客による受取りを待って待機していた制御部１１は、顧客による申込書類や明細票の受取りを確認し、顧客検知センサ１３ａからの顧客退去信号を確認したときに、今回の外貨両替処理を終了させ、ステップＳＢ１へ戻って、操作表示部１３の表示画面に初期画面を表示しながら、ステップＳＢ２による待機判定時間の経過待ち状態での待機、ステップＳＢ４による外貨両替ＡＴＭ１内の各部の確認、ステップＳＢ９による顧客待ち状態での待機を継続する。
【００８０】
一方、顧客は、発行された申込書類を持参して、両替窓口８の窓口係員（図１参照）に提出し、窓口係員は、申込書類を受取って、受取った申込書類を窓口端末３の画像情報読取部３６のスキャナにセットし、窓口端末３の表示部３３に表示されている業務選択画面から「外貨両替」を選択する。
窓口係員の選択を認識した窓口端末３の制御部３１は、画像情報読取部３６によってセットされた申込書類の画像を読取り、これを解読して申込情報を読出し、読出した申込情報を表示部３３に表示する。
【００８１】
窓口係員は、表示部３３に表示された申込情報が、誤解読等がなく正常に解読されたことを確認すると共に、表示された申込情報に両替に要する費用を予め支払った旨の情報が表示されていること、または受取った申込書類に「支払済」等の文言が印刷されていることを確認して、入力部３４の「確認」キーを押下する。
「確認」キーの押下を認識した制御部３１は、印刷部３５によって、両替の申込書の書式に従った申込書を印刷して排出すると共に、取引日時や今回の外貨両替処理における外貨の総額や支払額等の取引情報を印刷した明細票を排出する。このとき、釣銭が必要な場合は、それぞれの収納庫から釣銭に相当する通貨を繰出して排出する。
【００８２】
窓口係員は、排出された申込書に顧客の署名を求め、顧客が申込書に署名すると、排出された明細票と共に、申込書類に印刷された外貨種別の外国紙幣を内訳枚数に分けて顧客に手渡す。このとき釣銭が排出されている場合は、排出された釣銭を顧客に返却する。
このようにして、本実施例の外貨両替ＡＴＭ１による外貨両替処理が実行される。
以上説明したように、本実施例では、上記実施例１の効果に加えて、外貨への両替を両替窓口８に誘導する場合に、両替窓口８で支払う支払額を、予め外貨両替ＡＴＭ１で支払っておくので、両替窓口８では申込書類に記載された外国紙幣を顧客に手渡せば、両替を行うことができ、両替窓口８における応対時間を短縮することができる。
【００８３】
また、上記実施例１および本実施例では、予め支払った支払額をバーコードに含めて印刷しておくので、両替窓口８における締上時に、両替前後の金種や金額の相違を容易に把握することができる。
なお、上記実施例１の縮退時処理においては、外貨の収納枚数が過少と判定されたときに、外貨への両替は全て両替窓口８によって行うとして説明したが、日本円の入出金が可能な場合は、本実施例のように、両替に要する費用である入金額や支払額の入金を受付けるようにしてもよい。このようにすれば、外貨両替ＡＴＭ１の運用効率の更なる向上を図ることができる。
【実施例３】
【００８４】
以下に、図１３ないし図２２を用いて本実施例の両替装置および外貨両替システムについて説明する。なお上記実施例１と同様の部分は、同一の符号を付してその説明を省略する。
本実施例の店舗には、図１３に示すように、上記実施例１と同様の自動取引装置としての外貨両替ＡＴＭ１、管理サーバ２、窓口端末３に加えて、通常の現金自動預払機である申込書類発行装置としてのＡＴＭ４０、申込書類作成カウンタ５０に設けられた入力端末５１、プリンタ５２等が設置されている。
【００８５】
また、本実施例の外貨両替システムは、管理サーバ２と、複数の外貨両替ＡＴＭ１と、窓口端末３と、複数のＡＴＭ４０と、複数の入力端末５１とを、図１３に破線で示す、店内ネットワーク４により接続し、管理サーバ２を、上記実施例１と同様に、上位装置としての両替レート配信サーバ６に通信回線７を介して接続して構成される。
本実施例の外貨両替ＡＴＭ１の構成およびその制御部１１や記憶部１２、レシート発行部１５等の機能は、上記実施例１と同様であるので、その説明を省略する。
【００８６】
管理サーバ２は、店内ネットワーク４を介して外貨両替ＡＴＭ１および窓口端末３、入力端末５１に接続すると共に、通信回線７を介して両替レート配信サーバ６に接続しており、図１４に示す構成を備えている。
本実施例の管理サーバ２の構成およびそのサーバ制御部２ａ、記憶部２ｂの機能は上記実施例１と同様であるのでその説明を省略する。
なお、管理サーバ２の記憶部２ｂには、上記実施例１と同様の両替レート格納部２ｃに加えて、稼働状態格納部２ｄ、申込情報格納部２ｅが予め形成されている。
【００８７】
また、本実施例の申込情報は、上記実施例１の申込情報と同様に構成される。
本実施例の窓口端末３の構成およびその制御部３１や記憶部３２等の機能は、上記実施例１と同様であるので、その説明を省略する。
本実施例の両替レート配信サーバ６の機能は、上記実施例１と同様であるのでその説明を省略する。
本実施例のＡＴＭ４０は、顧客が操作して、顧客との間で外貨両替取引を含む現金による取引処理を自動で行う機能等を有しており、図１４に示す構成を備えている。
【００８８】
ＡＴＭ４０の制御部４１は、通信回線７を介して図示しないホストコンピュータに接続すると共に、店内ネットワーク４を介して管理サーバ２と接続しており、ＡＴＭ４０内の各部を制御して、通常の取引処理等を実行する機能等を有している。
記憶部４２は、制御部４１が実行するプログラムやそれに用いる各種のデータおよび制御部４１による処理結果等が格納される。
操作表示部４３は、ＡＴＭ４０の前面に設けられ、ＬＣＤ等の表示画面とタッチパネル等の入力手段等を備えており、表示画面に取引選択画面や各種の入力画面等を表示する機能を有すると共に、入力手段により顧客からの入力を受付ける機能を有している。
【００８９】
顧客検知センサ４３ａは、操作表示部４３の前面側または操作表示部４３近傍の前面パネルに設けられた光学式等の近接センサであって、外貨両替ＡＴＭ１への顧客の接近および退去を検知して制御部４１へ顧客検知信号または顧客退去信号を出力する。
書類印刷部としてのカード取扱部４４は、カード挿入口から挿入された顧客のキャッシュカードやクレジットカード等の取引カードの磁気ストライプやＩＣチップ等に記録されている顧客の口座情報等のカード情報を読み書きする機能を有すると共に、明細票に取引内容等を印刷してカード挿入口から発行する機能、および両替窓口８（図１３参照）や外貨両替ＡＴＭ１等における自国通貨（本実施例では、日本円）を外貨に両替するための書類としての申込書類を印刷してカード挿入口から発行する機能等を有している。
【００９０】
本実施例の申込書類には、管理サーバ２から申込情報を取得するための照会番号等の文字情報がレシート用紙に印刷される。
通帳取扱部４６は、通帳挿入口から挿入された顧客の通帳の磁気ストライプやＩＣチップ等に記録されている通帳情報を読み書きする機能を有すると共に、取引内容等を顧客の通帳に記帳する機能等を有している。
紙幣入出金部４７は、入金取引時等に顧客が投入した紙幣を受入れ、これを鑑別および計数して収納庫に収納し、出金取引時等に収納庫から紙幣を繰出し、これを計数して顧客に引渡す機能を有している。
【００９１】
硬貨入出金部４８は、入金取引時等に顧客が投入した硬貨を受入れ、これを鑑別および計数して収納庫に収納し、出金取引時等に収納庫から硬貨を繰出し、これを計数して顧客に引渡す機能を有している。
本実施例の入力端末５１は、申込書類作成カウンタ５０に設置された、タブレット型のコンピュータや、タッチパネル入力機能を有するパーソナルコンピュータ等の端末装置であって、店内ネットワーク４を介して管理サーバ２と接続すると共に、ケーブル等によりプリンタ５２と直接接続している。
【００９２】
このプリンタ５２を接続した入力端末５１が、本実施例の申込書類発行装置として機能する。
書類印刷部としてのプリンタ５２は、外貨両替ＡＴＭ１のレシート発行部１５と同等の機能を有する印刷装置であって、入力端末５１からの印刷指示に基づいて、両替窓口８や外貨両替ＡＴＭ１等における外貨両替取引に用いる照会番号等の文字情報をレシート用紙の印刷した申込書類を発行する機能等を有している。
【００９３】
本実施例の外貨両替ＡＴＭ１の記憶部１２には、顧客が選択した外貨両替取引の入力を受付け、これを基に、図５、図１６、図１７を用いて説明する管理サーバ２と連携した外貨両替処理を行う機能を有するアプリケーションプログラム等からなる外貨両替処理プログラムが予め格納されており、制御部１１が実行する外貨両替処理プログラムのステップにより本実施例の外貨両替ＡＴＭ１の各機能手段が形成される。
また、記憶部１２には、当該外貨両替ＡＴＭ１の機番、および上記実施例１と同様の待機判定時間（本実施例では、３分程度）が予め設定されて格納され、上記実施例１と同様の稼働状態格納エリアが、予め確保されている。
【００９４】
管理サーバ２の記憶部２ｂには、両替レート配信サーバ６や、店舗内の外貨両替ＡＴＭ１や窓口端末３、ＡＴＭ４０、入力端末５１に接続して、図１５を用いて説明する本実施例の管理処理を行う機能を有するアプリケーションプログラム等からなる管理処理プログラムが予め格納されており、管理サーバ２が実行する管理処理プログラムのステップにより本実施例の管理サーバ２の各機能手段が形成される。
また、記憶部２ｂには、上記実施例１と同様の両替レート格納部２ｃに加えて、外貨両替ＡＴＭ１の機番に対応させて稼働状態を更新しながら格納するための稼働状態格納部２ｄ、照会番号に対応させて、ＡＴＭ４０や入力端末５１から送信された申込情報を格納するための申込情報格納部２ｅが、予め形成されている。
【００９５】
窓口端末３の記憶部３２には、図２２を用いて説明する本実施例の端末業務処理を行う機能を有するアプリケーションプログラムが予め格納されており、制御部３１が実行する端末業務処理プログラムのステップにより本実施例の窓口端末３の各機能手段が形成される。
両替レート配信サーバ６には、上記実施例１と同様の、両替レート配信処理プログラムが予めインストールされており、両替レート配信サーバ６が実行する両替レート配信処理プログラムのステップにより本実施例の両替レート配信サーバ６の各機能手段が形成される。
【００９６】
ＡＴＭ４０の記憶部４２には、顧客が選択した取引の入力を受付け、これを基に図示しないホストコンピュータと交信して顧客との取引処理を自動で行う自動取引機能等を有する通常の取引処理プログラム、図１９を用いて説明する本実施例の管理サーバ２と連携した申込書類作成処理を行う機能を有するアプリケーションプログラム等からなる業務処理プログラムが予め格納されており、制御部４１が実行する業務処理プログラムのステップにより本実施例のＡＴＭ４０の各機能手段が形成される。
このように、本実施例のＡＴＭ４０は、通常の現金自動預払機に申込書類作成機能のみが追加されている。
【００９７】
入力端末５１には、図２１を用いて説明する本実施例の管理サーバ２と連携した申込書類発行処理を行う機能を有するアプリケーションプログラム等からなる入力端末処理プログラムが予めインストールされており、入力端末５１が実行する入力端末処理プログラムのステップにより本実施例の入力端末５１の各機能手段が形成される。
なお、本実施例の各外貨両替ＡＴＭ１のフロントパネル等の外部から視認可能な部位には、当該外貨両替ＡＴＭ１の機番を表示した番号札が貼付等により取付けられている。
【００９８】
以下に、図１５に示すフローチャートを用い、ＳＣで示すステップに従って本実施例の管理サーバ２による管理処理について説明する。
金融機関の店舗の係員が、始業時等に管理サーバ２へ電源を投入すると、管理サーバ２の記憶部２ｂに格納されている管理処理プログラムが自動的に起動される。
ＳＣ１：管理処理プログラムが起動すると、管理サーバ２のサーバ制御部２ａは、各外貨両替ＡＴＭ１から店内ネットワーク４を介して送信される稼働状態通知の受信を待って待機しており、稼働状態通知を受信したときにステップＳＣ２へ移行する。稼働状態通知を受信していない場合はステップＳＣ３へ移行する。
【００９９】
ＳＣ２：稼働状態通知を受信したサーバ制御部２ａは、受信した稼働状態通知の稼働状態を、記憶部２ｂの稼働状態格納部２ｄに、送信元の外貨両替ＡＴＭ１の機番に対応させて格納し、当該外貨両替ＡＴＭ１の稼働状態を更新してステップＳＣ３へ移行する。
なお、本実施例の稼働状態通知は、稼働状態通知を送信した外貨両替ＡＴＭ１の機番、その時の稼働状態（「稼働中」、「待機中」または「縮退中」）等で構成される。
【０１００】
ＳＣ３：サーバ制御部２ａは、両替レート配信サーバ６から通信回線７を介して定期的または随時に配信される外貨種別毎の最新の両替レートの受信を待って待機しており、外貨種別毎の両替レートを受信したときにステップＳＣ４へ移行する。外貨種別毎の両替レートを受信していない場合はステップＳＣ５へ移行する。
ＳＣ４：外貨種別毎の両替レートを受信したサーバ制御部２ａは、受信した両替レートを、記憶部２ｂの両替レート格納部２ｃの外貨種別毎の格納エリアにそれぞれ格納し、両替レートを更新してステップＳＣ５へ移行する。
【０１０１】
ＳＣ５：サーバ制御部２ａは、店舗内の各装置（外貨両替ＡＴＭ１、ＡＴＭ６０、入力端末５１）から店内ネットワーク４を介して送信される両替レート取得要求の受信を待って待機しており、両替レート取得要求を受信したときにステップＳＣ６へ移行する。両替レート取得要求を受信していない場合はステップＳＣ７へ移行する。
ＳＣ６：両替レート取得要求を受信したサーバ制御部２ａは、受信した両替レート取得要求の外貨種別を基に、記憶部２ｂの両替レート格納部２ｃの外貨種別毎の格納エリアから、両替レート取得要求の外貨種別に該当する最新の両替レートを読出し、読出した両替レートを送信元の装置へ送信してステップＳＣ７へ移行する。
【０１０２】
ＳＣ７：サーバ制御部２ａは、店舗内の各装置（外貨両替ＡＴＭ１、ＡＴＭ６０、入力端末５１）から店内ネットワーク４を介して送信される申込情報の受信を待って待機しており、申込情報を受信したときにステップＳＣ８へ移行する。申込情報を受信していない場合はステップＳＣ１３へ移行する。
ＳＣ８：申込情報を受信したサーバ制御部２ａは、連続番号からなる照会番号を採番し、受信した申込情報に照会番号を付与してステップＳＣ９へ移行する。
ＳＣ９：受信した申込情報に照会番号を付与したサーバ制御部２ａは、受信した申込情報を、記憶部２ｂの申込情報格納部２ｅに、付与した照会番号に対応させて格納し、ステップＳＣ１０へ移行する。
【０１０３】
ＳＣ１０：申込情報を格納したサーバ制御部２ａは、記憶部２ｂの稼働状態格納部２ｄを検索し、稼働状態が「待機中」となっている外貨両替ＡＴＭ１が存在する場合であって、送信元が、縮退時処理中を除く外貨両替ＡＴＭ１以外の場合はステップＳＣ１１へ移行する。「待機中」となっている外貨両替ＡＴＭ１が存在しない場合、つまり、全ての外貨両替ＡＴＭ１の稼働状態が「稼働中」および／もしくは「縮退中」となっている場合はステップＳＣ１２へ移行する。
ＳＣ１１：稼働状態が「待機中」となっている外貨両替ＡＴＭ１が存在し、送信元が外貨両替ＡＴＭ１以外（「縮退中」の外貨両替ＡＴＭ１を除く。）であることを認識したサーバ制御部２ａは、「待機中」となっている外貨両替ＡＴＭ１の機番を全て（一つの場合を含む。）読出してステップＳＣ１２へ移行する。
【０１０４】
ＳＣ１２：ステップＳＣ１０またはＳＣ１１から移行したサーバ制御部２ａは、照会番号通知を生成する。
すなわち、サーバ制御部２ａは、ＳＣ１０から移行した場合は付与した照会番号を、ＳＣ１１から移行した場合は、付与した照会番号とステップＳＣ１１で読出した全ての外貨両替ＡＴＭ１の機番を含む照会番号通知を生成する。
そして、サーバ制御部２ａは、生成した照会番号通知を送信元の装置へ送信してステップＳＣ１３へ移行する。
【０１０５】
ＳＣ１３：サーバ制御部２ａは、店舗内の各装置（外貨両替ＡＴＭ１、窓口端末３）から店内ネットワーク４を介して送信される申込情報取得要求の受信を待って待機しており、申込情報取得要求を受信したときにステップＳＣ１４へ移行する。申込情報取得要求を受信していない場合はステップＳＣ１５へ移行する。
ＳＣ１４：申込情報取得要求を受信したサーバ制御部２ａは、受信した申込情報取得要求の照会番号を基に、記憶部２ｂの申込情報格納部２ｅから、申込情報取得要求の照会番号に該当する申込情報を読出し、読出した申込情報を送信元の装置へ送信してステップＳＣ１５へ移行する。
【０１０６】
ＳＣ１５：サーバ制御部２ａは、その時計機能により、運用終了時刻の到来を待って待機しており、運用終了時刻が到来した時に、本日の管理処理を終了させる。
運用終了時刻に達していない場合は、ステップＳＣ１へ戻り、ステップＳＣ１による稼働状態通知の受信待ち状態での待機、ステップＳＣ３による両替レートの受信待ち状態での待機、ステップＳＣ５による両替レート取得要求の受信待ち状態での待機、ステップＳＣ７による申込情報の受信待ち状態での待機、ステップＳＣ１３による申込情報取得要求の受信待ち状態での待機、ステップＳＣ１５による運用終了時刻の到来待ち状態での待機を継続する。
このようにして、本実施例の管理サーバ２による管理処理が実行される。
【０１０７】
以下に、図５、図１６に示すフローチャートを用い、ＳＤで示すステップに従って本実施例の外貨両替ＡＴＭ１による外貨両替処理について説明する。
なお、以下の説明においては、図５に示すＳで示すステップ名は、ＳＤに読み替えて引用する。
本実施例のステップＳＤ１〜ＳＤ１４の処理動作は、上記実施例１のステップＳ１〜Ｓ１４（図５）の処理動作と同様であるので、その説明を省略する。
【０１０８】
この場合に、ステップＳＤ３においては、待機判定時間が経過を判定した制御部１１は、稼働状態格納エリアの稼働状態を「待機中」に書替えると共に、記憶部１２から読出した当該外貨両替ＡＴＭ１の機番と「待機中」とした待機状態を含む稼働状態通知を生成し、生成した稼働状態通知を、店内ネットワーク４を介して管理サーバ２（図１５のステップＳＣ１）へ送信してステップＳＤ４へ移行する。ステップＳＤ７、ＳＤ１１においても同様である。
また、ステップＳＤ１０において、記憶部１２の稼働状態格納エリアの稼働状態が稼働状態が「縮退中」の場合は、外貨両替ＡＴＭ１の縮退時における縮退時処理を実行するために、結合子Ｄを介して図１７のステップＳＥ１へ移行する。
【０１０９】
ＳＤ１５（図５のステップＳ１５を読み替えて引用）：顧客が選択した取引を外貨両替取引と認識した制御部１１は、操作表示部１３の表示画面に、図１８に示す外貨種別選択画面を表示する。
外貨種別選択画面には、外貨種別の選択を促す旨の文言、外貨種別毎の選択ボタン、および外貨種別毎に、外貨両替ＡＴＭ１による両替の可否を表す文言からなる両替可否情報等が表示される。
【０１１０】
本実施例では、選択ボタンとして「ドル」「申込書類」、および「ユーロ」が表示され、ドルに対しては、外貨両替ＡＴＭ１による両替が可能である旨の文言、およびＡＴＭ４０や入力端末５１、縮退時処理中の外貨両替ＡＴＭ１から発行された申込書類を用いる場合の操作方法からなる両替可否情報が表示され、ユーロに対しては、外貨両替ＡＴＭ１による両替が不可能であり、後のステップＳＤ３２で発行される申込書類を用いて両替窓口８での両替が可能である旨の文言からなる両替可否情報が表示される。
顧客は、日本円をドルに両替する場合は「ドル」ボタンを、申込書類によってドルに両替する場合は「申込書類」ボタンを、ユーロに両替する場合は「ユーロ」ボタンを押下する。
【０１１１】
そして、制御部１１は、外貨種別の選択ボタンの押下を操作表示部１３の入力手段により認識したときに、結合子Ｅを介して図１６のステップＳＤ１６へ移行する。
ＳＤ１６（図１６）：顧客が押下した選択ボタンを認識した制御部１１は、押下された選択ボタンが「申込書類」ボタンであることにより、選択された外貨種別が、外貨両替ＡＴＭ１に収納されているドルであり、申込書類によるドルへの両替を行うことを認識した場合はステップＳＤ３４へ移行する。「申込書類」ボタン以外の選択ボタンが押下された場合はステップＳＤ１７へ移行する。
【０１１２】
ＳＤ１７：「申込書類」ボタン以外の選択ボタンが押下されたことを認識した制御部１１は、押下された選択ボタンが「ドル」ボタンであることにより、選択された外貨種別が、外貨両替ＡＴＭ１に収納されているドルと認識した場合は、日本円からドルへの両替を行うためにステップＳＤ１８へ移行する。
押下された選択ボタンが「ユーロ」ボタンであることにより、選択された外貨種別が、外貨両替ＡＴＭ１に収納されていないユーロと認識した場合は、両替窓口８における外貨両替取引に用いる申込書類を作成するためにステップＳＤ２６へ移行する。
その後のステップＳＤ１８〜ＳＤ２６の処理動作は、上記実施例１のステップＳ１７〜Ｓ２５（図６）の処理動作と同様であるので、その説明を省略する。
【０１１３】
ＳＤ２７：「確認」ボタンの押下によりユーロの金種別内訳枚数の入力終了を認識した制御部１１は、上記ステップＳＤ１９と同様に、選択された外貨種別（本ステップでは、ユーロ）に対する両替レートを取得するために、選択された外貨種別を含む両替レート取得要求を管理サーバ２（ステップＳＣ５）へ送信し、管理サーバ２のサーバ制御部２ａは、記憶部２ｂの両替レート格納部２ｃの外貨種別毎の格納エリアから、両替レート取得要求の外貨種別に該当する最新の両替レートを読出し、読出した両替レートを送信元の外貨両替ＡＴＭ１へ送信し、外貨両替ＡＴＭ１の制御部１１は、選択された外貨種別に対する最新の両替レートを取得する。
【０１１４】
そして、制御部１１は、その時計機能により認識した、両替レートを取得した現在日時を両替レート取得日時として記憶部１２に一時保存してステップＳＤ２８へ移行する。
ＳＤ２８：最新の両替レートを取得した外貨両替ＡＴＭ１の制御部１１は、入力された外貨の金種別の内訳枚数を基に両替する外貨の総額を算出し、これに取得した両替レートを乗じて、両替窓口８での両替に必要な費用として日本円の支払額を算出する。
【０１１５】
ＳＤ２９：支払額の算出を終えた制御部１１は、ステップＳＤ２７で一時保存した両替レート取得日時、その時点で取得した両替レート、ステップＳＤ２８で算出した外貨の総額と、それに相当する日本円の支払額、ステップＳＤ２６で入力された外貨種別とその金種別の内訳枚数等からなる申込情報を生成し、生成した申込情報を、管理サーバ２（ステップＳＣ７）へ送信し、管理サーバ２のサーバ制御部２ａは、受信した申込情報を、記憶部２ｂの申込情報格納部２ｅに、付与した照会番号に対応させて格納し、付与した照会番号を含む照会番号通知を、送信元の外貨両替ＡＴＭ１へ送信する。
【０１１６】
ＳＤ３０：申込情報の送信後に、管理サーバ２（ステップＳＣ１２）から送信される照会番号通知の受信を待って待機していた外貨両替ＡＴＭ１の制御部１１は、管理サーバ２からの照会番号通知を受信して、当該申込情報の照会番号を取得する。
ＳＤ３１：照会番号を取得した制御部１１は、一時保存した両替レート取得日時、取得した両替レート、算出した日本円の支払額、入力された外貨種別とその金種別の内訳枚数、ステップＳＤ３２で発行する照会番号が印刷された申込書類を両替窓口８に提出して、表示した支払額に相当する日本円と共に提出すれば、選択した外貨種別の外国紙幣を内訳枚数に分けて受取ることができる旨の文言等を表示した両替窓口誘導画面を表示してステップＳＤ３２へ移行する。
【０１１７】
ＳＤ３２：両替窓口誘導画面を表示した制御部１１は、両替窓口８での外貨両替取引に用いる申込書類の印刷処理を実行する。
すなわち、制御部１１は、発行日付、上記ステップＳＤ３０で取得した照会番号、入力された外貨種別とその金種別の内訳枚数、日本円の支払額等からなる文字情報の印刷データをレシート発行部１５に送って、照会番号等の文字情報を印刷した、外貨両替のための申込書類を作成し、これをレシート発行口１５ａから排出して、顧客による申込書類の受取りを待って待機する。
【０１１８】
ＳＤ３３：顧客による申込書類の受取りを待って待機していた制御部１１は、顧客による申込書類の受取りを確認し、顧客検知センサ１３ａからの顧客退去信号を確認したときに、今回の外貨両替処理を終了させ、ステップＳＤ１へ戻り、操作表示部１３の表示画面に初期画面を表示しながら、ステップＳＤ２による待機判定時間の経過待ち状態での待機、ステップＳＤ４による外貨両替ＡＴＭ１内の各部の確認、ステップＳＤ９による顧客待ち状態での待機を継続する。
【０１１９】
ＳＤ３４：一方、上記ステップＳＤ１６で、選択された外貨種別が、外貨両替ＡＴＭ１に収納されているドルであり、申込書類によるドルへの両替を行うことを認識した外貨両替ＡＴＭ１の制御部１１は、操作表示部１３の表示画面に照会番号入力画面を表示する。
照会番号入力画面には、ＡＴＭ４０、入力端末５１または縮退時処理中の外貨両替ＡＴＭ１から発行された外貨両替のための申込書類に印刷された照会番号の入力を促す旨の文言、照会番号の入力欄、照会番号を入力するためのテンキー、入力の間違いを訂正するための「訂正」ボタン、入力の終了を指示するための「確認」ボタン等が表示される。
顧客は、照会番号の入力欄にテンキーにより照会番号を入力し、入力を終えたときに「確認」ボタンを押下する。
【０１２０】
ＳＤ３５：「確認」ボタンの押下により照会番号の入力終了を認識した制御部１１は、入力された照会番号の申込情報を取得するために、入力された照会番号を含む申込情報取得要求を管理サーバ２（ステップＳＣ１３）へ送信し、管理サーバ２のサーバ制御部２ａは、記憶部２ｂの申込情報格納部２ｅから、申込情報取得要求の照会番号に該当する申込情報を読出し、読出した申込情報を送信元の外貨両替ＡＴＭ１へ送信し、外貨両替ＡＴＭ１の制御部１１は、入力された照会番号の申込情報を取得する。
【０１２１】
ＳＤ３６：申込情報を取得した制御部１１は、取得した申込情報と、表示内容の確認を終えたことを指示するための「確認」ボタン等を表示した申込情報確認画面を操作表示部１３の表示画面に表示する。
このとき、顧客がＡＴＭ４０で申込書類の発行を受けていた場合は、両替に要する費用を予め支払った旨の文言（「支払済」等）が表示される。
顧客は、表示された申込情報の表示内容を確認し、確認を終えたときに「確認」ボタンを押下する。
【０１２２】
ＳＤ３７：「確認」ボタンの押下により表示した申込情報の確認終了を認識した制御部１１は、取得した申込情報に、両替に要する費用を予め支払った旨の情報が含まれていない場合は、両替に要する費用の入金が必要と判定してステップＳＤ３８へ移行する。
取得した申込情報に、両替に要する費用を予め支払った旨の情報が含まれている場合は、両替に要する費用は支払済と判定してステップＳＤ２４へ移行し、ステップＳＤ２４による外貨両替処理、ステップＳＤ２５による外貨受取確認を行って、今回の外貨両替処理を終了させ、ステップＳＤ１へ戻り、操作表示部１３の表示画面に初期画面を表示しながら、ステップＳＤ２による待機判定時間の経過待ち状態での待機、ステップＳＤ４による外貨両替ＡＴＭ１内の各部の確認、ステップＳＤ９による顧客待ち状態での待機を継続する。
【０１２３】
ＳＤ３８：両替に要する費用を予め支払った旨の情報が含まれていないことにより、両替に要する費用の入金が必要と判定した制御部１１は、操作表示部１３の表示画面に、申込情報の両替する外貨（本ステップではドル）の総額に相当する日本円の支払額を入金額として表示すると共に、入金額に相当する日本の通貨の投入を促す旨の文言等を表示し、紙幣入出金口１７ａおよび硬貨入出金口を開放して顧客による通貨の投入を待って待機し、通貨が投入されたときに、ステップＳＤ２１へ移行し、ＳＤ２１〜ＳＤ２４による入金額の入金処理後の外貨両替処理、ステップＳＤ２５による外貨受取確認を行って、今回の外貨両替処理を終了させ、ステップＳＤ１へ戻り、操作表示部１３の表示画面に初期画面を表示しながら、ステップＳＤ２による待機判定時間の経過待ち状態での待機、ステップＳＤ４による外貨両替ＡＴＭ１内の各部の確認、ステップＳＤ９による顧客待ち状態での待機を継続する。
このようにして、本実施例の外貨両替ＡＴＭ１による外貨両替処理が実行される。
【０１２４】
一方、顧客は、発行された申込書類を両替窓口８へ持参して、申込書類に印刷されている支払額に相当する日本円と共に、窓口係員（図１３参照）に提出する。この場合の窓口端末３の処理動作は後述する（図２２参照）。
以下に、図１７に示すフローチャートを用い、ＳＥで示すステップに従って本実施例の外貨両替ＡＴＭ１による外貨両替処理の縮退時処理について説明する。
【０１２５】
ＳＥ１：レシート発行部１５による印刷動作が可能であることにより、装置の縮退時における縮退時処理を実行するために、結合子Ｄを介してステップＳＤ１０（図５のステップＳ１０を読み替えて引用）から移行した外貨両替ＡＴＭ１の制御部１１は、操作表示部１３の表示画面に外貨種別選択縮退画面（実施例１の図８と同様の画面）を表示しながら、外貨種別の選択ボタンの押下を待って待機し、顧客が選択ボタンが押下したときにステップＳＥ２へ移行する。選択ボタンが押下されていないときは前記の待機を継続する。
本実施例の外貨種別選択縮退画面には、選択ボタンとして「ドル」と「ユーロ」が表示され、顧客は、両替窓口８で日本円をドルに両替する場合は「ドル」ボタンを押下し、ユーロに両替する場合は「ユーロ」ボタンを押下する。
【０１２６】
ＳＥ２：顧客が選択ボタンを押下したことを認識した制御部１１は、「ドル」ボタンが押下された場合は、ドルの金種別内訳枚数を入力するための両替外貨内訳入力画面（実施例１の図１０と同様の画面）を、「ユーロ」ボタンが押下された場合は、ユーロの金種別内訳枚数を入力するための両替外貨内訳入力画面（実施例１の図１１と同様の画面）を、操作表示部１３の表示画面に表示する。
【０１２７】
両替外貨内訳入力画面には、選択した外貨種別の内訳枚数の入力を促す旨の文言、選択された外貨種別の金種別の選択ボタン、および金種別に両替する内訳枚数の入力欄、内訳枚数を入力するためのテンキー、入力の間違いを訂正するための「訂正」ボタン、入力の終了を指示するための「確認」ボタン等が表示される。
本実施例では、顧客は金種別の選択ボタンを押下しながらその入力欄にテンキーにより希望する内訳枚数を入力し、金種別の内訳枚数の入力を終えたときに「確認」ボタンを押下する。
【０１２８】
その後のステップＳＥ３、ＳＥ４の処理動作は、上記ステップＳＤ２７、ＳＤ２８（図１６）の処理動作と同様であるので、その説明を省略する。
この場合に、顧客が「ドル」ボタンを押下したときは、ステップＳＥ３において、ドルに対する両替レートが取得される。
【０１２９】
ＳＥ５：支払額の算出を終えた制御部４１は、ステップＳＥ３で一時保存した両替レート取得日時、その時点で取得した両替レート、ステップＳＥ４で算出した外貨の総額と、それに相当する日本円の支払額、ステップＳＥ２で入力された外貨種別とその金種別の内訳枚数等からなる申込情報を生成し、生成した申込情報を、管理サーバ２（ステップＳＣ７）へ送信し、管理サーバ２のサーバ制御部２ａは、受信した申込情報を、記憶部２ｂの申込情報格納部２ｅに、付与した照会番号に対応させて格納し、付与した照会番号と「待機中」の外貨両替ＡＴＭ１の機番を含む照会番号通知を、送信元の外貨両替ＡＴＭ１へ送信する。
【０１３０】
ＳＥ６：申込情報の送信後に、管理サーバ２（ステップＳＣ１２）から送信される照会番号通知の受信を待って待機していた外貨両替ＡＴＭ１の制御部１１は、管理サーバ２からの照会番号通知を受信し、当該申込情報の照会番号と「待機中」の外貨両替ＡＴＭ１の機番を取得する。
【０１３１】
ＳＥ７：照会番号と「待機中」の外貨両替ＡＴＭ１の機番を取得した制御部１１は、両替する外貨種別としてとして「ドル」が選択されている場合であって、受信した照会番号通知に「待機中」の外貨両替ＡＴＭ１の機番が含まれている場合、つまり自動で両替することが可能な待機中の外貨両替ＡＴＭ１が存在する場合は、待機外貨両替ＡＴＭ誘導画面の表示を判定してステップＳＥ９へ移行する。両替する外貨種別としてとして「ユーロ」が選択されている場合、または照会番号通知に「待機中」の外貨両替ＡＴＭ１の機番が含まれていない場合は、両替窓口誘導画面の表示を判定してステップＳＥ８へ移行する。
【０１３２】
ＳＥ８：両替窓口誘導画面の表示を判定した制御部１１は、一時保存した両替レート取得日時、取得した両替レート、算出した日本円の支払額、入力された外貨種別とその金種別の内訳枚数、ステップＳＥ１０で発行する照会番号が印刷された申込書類を両替窓口８に提出して、表示した支払額に相当する日本円と共に提出すれば、選択した外貨種別の外国紙幣を内訳枚数に分けて受取ることができる旨の文言等を表示した両替窓口誘導画面を表示してステップＳＥ１０へ移行する。
【０１３３】
ＳＥ９：待機外貨両替ＡＴＭ誘導画面の表示を判定した制御部１１は、一時保存した両替レート取得日時、取得した両替レート、入力された外貨種別とその金種別の内訳枚数、算出した日本円の支払額、取得した「待機中」の外貨両替ＡＴＭ１の全ての機番、表示した機番の外貨両替ＡＴＭ１で、ステップＳＥ１０で発行する申込書類に印刷された照会番号を入力して、表示した支払額に相当する日本円を入金すれば、または、ステップＳＥ１０で発行する照会番号が印刷された申込書類を両替窓口８に提出して、表示した支払額に相当する日本円と共に提出すれば、選択した外貨種別（本ステップではドル）の外国紙幣を内訳枚数に分けて受取ることができる旨の文言等を表示した待機外貨両替ＡＴＭ誘導画面を表示してステップＳＥ１０へ移行する。
【０１３４】
ＳＥ１０：両替窓口誘導画面、または待機外貨両替ＡＴＭ誘導画面を表示した制御部１１は、両替窓口８または「待機中」の外貨両替ＡＴＭ１での外貨両替取引に用いる申込書類の印刷処理を実行する。
すなわち、制御部１１は、ステップＳＥ８から移行した場合は、発行日付、上記ステップＳＥ６で取得した照会番号、入力された外貨種別とその金種別の内訳枚数、日本円の支払額等からなる、ステップＳＥ９から移行した場合は、前記に加えて、ステップＳＥ６で取得した「待機中」の外貨両替ＡＴＭ１の全ての機番等からなる文字情報の印刷データをレシート発行部１５に送って、照会番号等の文字情報を印刷した外貨両替のための申込書類を作成し、これをレシート発行口１５ａから排出して、顧客による申込書類の受取りを待って待機する。
【０１３５】
本説明では、ステップＳＥ１で、顧客が「ユーロ」を選択しているので、ステップＳＥ８により両替窓口誘導画面が表示される。
ＳＥ１１：顧客による申込書類の受取りを待って待機していた制御部１１は、顧客による申込書類の受取りを確認し、顧客検知センサ１３ａからの顧客退去信号を確認したときに、今回の外貨両替処理を終了させ、ステップＳＤ１へ戻り、操作表示部１３の表示画面に、ステップＳＤ８による外貨種別選択縮退画面を表示しながら、ステップＳＤ９による顧客待ち状態での待機を継続する。
【０１３６】
一方、顧客は、発行された申込書類を、印刷された機番の外貨両替ＡＴＭ１または両替窓口８へ持参して外貨への両替を行う。
以下に、図１９に示すフローチャートを用い、ＳＦで示すステップに従って本実施例のＡＴＭ４０による申込書類作成処理について説明する。
本実施例のＡＴＭ４０は、ドルまたはユーロを両替窓口８または外貨両替ＡＴＭ１で両替するための申込書類を作成して発行すると共に、両替に要する費用として支払額に相当する日本円の入金を受付ける申込書類作成処理を行う。
【０１３７】
金融機関の店舗の係員が、始業時等にＡＴＭ４０へ電源を投入すると、ＡＴＭ４０の記憶部４２に格納されている業務処理プログラムが自動的に起動される。
ＳＦ１：業務処理プログラムが起動すると、ＡＴＭ４０の制御部４１は、操作表示部４３の表示画面に「いらっしゃいませ。」等の来店に対する謝意を表す文言等を表示した初期画面を表示してステップＳＦ２へ移行する。
【０１３８】
ＳＦ２：制御部４１は、顧客検知センサ４３ａからの出力を監視しながら、顧客検知センサ４３ａが顧客を検知するのを待つ顧客待ち状態で待機しており、顧客検知センサ４３ａから顧客検知信号が出力されたときにステップＳＦ３へ移行する。
顧客検知信号が出力されていない場合、つまり顧客退去信号が出力されている場合は、ステップＳＦ１へ戻り、操作表示部４３の表示画面に初期画面を表示しながら、ステップＳＦ２による顧客待ち状態での待機を継続する。
【０１３９】
ＳＦ３：顧客を検知した制御部４１は、操作表示部４３の表示画面に取引選択画面を表示し、顧客による取引選択ボタンの押下を待って待機する。
取引選択画面には、取引選択ボタンの押下を促す旨の文言と、出金取引のための「お引き出し」ボタン、入金取引のための「お預け入れ」ボタン、振込取引のための「お振り込み」ボタン、口座残高を照会する残高照会取引のための「残高照会」ボタン、通帳に未記入の取引データを記帳する通帳記帳取引のための「通帳記帳」ボタン、日本円を外貨に両替する外貨両替取引を行うための申込書類を作成する外貨申込書類作成取引ための「外貨申込書類作成」ボタン等の取引を選択するための取引選択ボタンが表示されている。
【０１４０】
本実施例では、顧客は外貨申込書類作成取引を選択し、操作表示部４３の表示画面からタッチパネルによって「外貨申込書類作成」ボタンを押下する。
ＳＦ４：顧客が選択した取引を操作表示部４３の入力手段により認識した制御部４１は、認識した取引が外貨申込書類作成取引の場合はステップＳＦ６へ移行する。認識した取引が、外貨申込書類作成取引以外の通常取引の場合はステップＳＦ５へ移行する。
【０１４１】
ＳＦ５：顧客が選択した取引を通常取引と認識した制御部４１は、入金取引や出金取引等の通常取引の取引処理を実行する。
なお、通常取引の場合の処理動作は、通常の現金自動預払機の処理動作と同様であるのでその説明を省略する。また、通常取引の処理動作の終了時には、カード取扱部４４から当該取引の取引内容が印刷された明細票が発行される。
通常取引の取引処理の実行を終えた制御部４１は、その取引処理を終了させステップＳＦ１へ戻り、操作表示部４３の表示画面に初期画面を表示しながら、ステップＳＦ２による顧客待ち状態での待機を継続する。
【０１４２】
ＳＦ６：顧客が選択した取引を外貨申込書類作成取引と認識した制御部４１は、操作表示部４３の表示画面に、図２０に示す外貨種別選択画面を表示して顧客による選択ボタンの押下を待って待機する。
外貨種別選択画面には、外貨種別の選択を促す旨の文言、外貨種別毎の選択ボタン、および後のステップＳＦ１８で発行される申込書類を用いて両替窓口８または外貨両替ＡＴＭ１での両替が可能である旨の文言等が表示される。
【０１４３】
本実施例の外貨種別選択画面には、選択ボタンとして「ドル」と「ユーロ」が表示され、顧客は、両替窓口８または外貨両替ＡＴＭ１で日本円をドルに両替する場合は「ドル」ボタンを押下し、両替窓口８でユーロに両替する場合は「ユーロ」ボタンを押下する。
ＳＦ７：顧客が選択ボタンを押下したことを認識した制御部４１は、「ドル」ボタンが押下された場合は、ドルの金種別内訳枚数を入力するための両替外貨内訳入力画面（実施例１の図１０と同様の画面）を、「ユーロ」ボタンが押下された場合は、ユーロの金種別内訳枚数を入力するための両替外貨内訳入力画面（実施例１の図１１と同様の画面）を、操作表示部４３の表示画面に表示する。
【０１４４】
両替外貨内訳入力画面には、選択した外貨種別の内訳枚数の入力を促す旨の文言、選択された外貨種別の金種別の選択ボタン、および金種別に両替する内訳枚数の入力欄、内訳枚数を入力するためのテンキー、入力の間違いを訂正するための「訂正」ボタン、入力の終了を指示するための「確認」ボタン等が表示される。
本実施例では、顧客は金種別の選択ボタンを押下しながらその入力欄にテンキーにより希望する内訳枚数を入力し、金種別の内訳枚数の入力を終えたときに「確認」ボタンを押下する。
【０１４５】
ＳＦ８：「確認」ボタンの押下によりドルまたはユーロの金種別内訳枚数の入力終了を認識した制御部４１は、選択された外貨種別（本ステップではドルまたはユーロ）に対する両替レートを取得するために、選択された外貨種別を含む両替レート取得要求を店内ネットワーク４を介して管理サーバ２（ステップＳＣ５）へ送信し、管理サーバ２のサーバ制御部２ａは、両替レート格納部２ｃの外貨種別毎の格納エリアから、両替レート取得要求の外貨種別に該当する最新の両替レートを読出し、読出した両替レートを送信元のＡＴＭ４０へ送信し、ＡＴＭ４０の制御部４１は、選択された外貨種別に対する最新の両替レートを取得する。
そして、制御部４１は、その時計機能により認識した、両替レートを取得した現在日時を両替レート取得日時として記憶部４２に一時保存してステップＳＦ９へ移行する。
【０１４６】
ＳＦ９：最新の両替レートを取得した外貨両替ＡＴＭ１の制御部４１は、入力された外貨の金種別の内訳枚数を基に両替する外貨の総額を算出し、これに取得した両替レートを乗じて、両替窓口８での両替に必要な費用として日本円の支払額を算出する。
支払額の算出を終えた制御部４１は、操作表示部４３の表示画面に、支払額に相当する日本の通貨の投入を促す旨の文言、算出した日本円の支払額等を表示し、紙幣入出金部４７の紙幣入出金口および硬貨入出金部４８の硬貨入出金口のシャッタを開放して顧客による通貨の投入を待って待機し、通貨が投入されたときにステップＳＦ１０へ移行する。
【０１４７】
ＳＦ１０：紙幣入出金口および／もしくは硬貨入出金口に、紙幣および／もしくは硬貨が投入されたことを認識した制御部４１は、それぞれのシャッタを閉鎖し、紙幣入出金部４７および／もしくは硬貨入出金部４８によって、投入された通貨を鑑別および計数して一時保留する支払通貨取込処理を実行し、計数した金種別の枚数を基に顧客が投入した通貨の投入額を算出する。
【０１４８】
ＳＦ１１：投入額の算出を終えた制御部４１は、操作表示部４３の表示画面に、投入額の確認を促す旨の文言、算出した投入額、表示された投入額の確定を指示する「確認」ボタン等を表示して、顧客による「確認」ボタンの押下を待って待機し、「確認」ボタンが押下されたときにステップＳＦ１２へ移行する。
【０１４９】
ＳＦ１２：「確認」ボタンの押下により投入額の確定を認識した制御部４１は、一時保留した通貨をそれぞれの収納庫に収納する支払通貨収納処理を実行する。
このとき、釣銭が必要な場合は、それぞれの収納庫から釣銭に相当する通貨を繰出し、鑑別および計数後に、紙幣入出金口および／もしくは硬貨入出金口に集積し、集積した入出金口のシャッタを開放して顧客に釣銭を返却する。
【０１５０】
ＳＦ１３：支払通貨収納処理または顧客への釣銭の返却を終えた制御部４１は、ステップＳＦ８で一時保存した両替レート取得日時、その時点で取得した両替レート、ステップＳＦ９で算出した外貨の総額と、それに相当する日本円の支払額、ステップＳＦ７で入力された外貨種別とその金種別の内訳枚数、両替に要する費用を予め支払った旨の情報等からなる申込情報を生成し、生成した申込情報を、管理サーバ２（ステップＳＣ７）へ送信し、管理サーバ２のサーバ制御部２ａは、受信した申込情報を、記憶部２ｂの申込情報格納部２ｅに、付与した照会番号に対応させて格納し、付与した照会番号と「待機中」の外貨両替ＡＴＭ１の機番を含む照会番号通知を、送信元のＡＴＭ４０へ送信する。
【０１５１】
ＳＦ１４：申込情報の送信後に、管理サーバ２（ステップＳＣ１２）から送信される照会番号通知の受信を待って待機していたＡＴＭ４０の制御部４１は、管理サーバ２からの照会番号通知を受信して、当該申込情報の照会番号と「待機中」の外貨両替ＡＴＭ１の機番を取得する。
【０１５２】
ＳＦ１５：照会番号と「待機中」の外貨両替ＡＴＭ１の機番を取得した制御部４１は、両替する外貨種別としてとして「ドル」が選択されている場合であって、受信した照会番号通知に「待機中」の外貨両替ＡＴＭ１の機番が含まれている場合、つまり自動で両替することが可能な待機中の外貨両替ＡＴＭ１が存在する場合は、待機外貨両替ＡＴＭ誘導画面の表示を判定してステップＳＦ１７へ移行する。両替する外貨種別としてとして「ユーロ」が選択されている場合、または照会番号通知に「待機中」の外貨両替ＡＴＭ１の機番が含まれていない場合は、両替窓口誘導画面の表示を判定してステップＳＦ１６へ移行する。
【０１５３】
ＳＦ１６：両替窓口誘導画面の表示を判定した制御部４１は、一時保存した両替レート取得日時、取得した両替レート、算出した日本円の支払額、入力された外貨種別とその金種別の内訳枚数、ステップＳＦ１８で発行する照会番号が印刷された申込書類を両替窓口８に提出すれば、選択した外貨種別の外国紙幣を内訳枚数に分けて受取ることができる旨の文言等を表示した両替窓口誘導画面を表示してステップＳＦ１８へ移行する。
【０１５４】
ＳＦ１７：待機外貨両替ＡＴＭ誘導画面の表示を判定した制御部４１は、一時保存した両替レート取得日時、取得した両替レート、入力された外貨種別とその金種別の内訳枚数、算出した日本円の支払額、取得した「待機中」の外貨両替ＡＴＭ１の全ての機番、表示した機番の外貨両替ＡＴＭ１で、ステップＳＦ１８で発行する申込書類に印刷された照会番号を入力すれば、または、ステップＳＦ１８で発行する照会番号が印刷された申込書類を両替窓口８に提出すれば、選択した外貨種別の外国紙幣を内訳枚数に分けて受取ることができる旨の文言等を表示した待機外貨両替ＡＴＭ誘導画面を表示してステップＳＦ１８へ移行する。
【０１５５】
ＳＦ１８：両替窓口誘導画面、または待機外貨両替ＡＴＭ誘導画面を表示した制御部４１は、両替窓口８または「待機中」の外貨両替ＡＴＭ１での外貨両替取引に用いる申込書類の印刷処理を実行する。
すなわち、制御部４１は、ステップＳＦ１６から移行した場合は、発行日付、上記ステップＳＦ１４で取得した照会番号、入力された外貨種別とその金種別の内訳枚数、日本円の支払額、両替に要する費用を予め支払った旨の「支払済」等の文言等からなる、ステップＳＦ１７から移行した場合は、前記に加えて、ステップＳＦ１４で取得した「待機中」の外貨両替ＡＴＭ１の全ての機番等からなる文字情報の印刷データをカード取扱部４４に送って、照会番号等の文字情報を印刷した外貨両替のための申込書類を作成し、これをカード挿入口から排出する。
【０１５６】
これと並行して、制御部３１は、カード取扱部４４によって、発行日時や今回の申込書類作成処理における外貨の総額や支払額等の取引情報を明細票に印刷してカード挿入口から排出する。
そして、制御部４１は、申込書類や明細票の顧客による受取りを待って待機する。
【０１５７】
ＳＦ１９：カード取扱部４４から排出した申込書類や明細票の顧客による受取りを待って待機していた制御部４１は、顧客による申込書類や明細票の受取りを確認し、顧客検知センサ１３ａからの顧客退去信号を確認したときに、今回の申込書類作成処理を終了させ、ステップＳＦ１へ戻り、操作表示部４３の表示画面に、初期画面を表示しながら、ステップＳＦ２による顧客待ち状態での待機を継続する。
一方、顧客は、発行された申込書類を、印刷された機番の外貨両替ＡＴＭ１または両替窓口８へ持参して外貨への両替を行う。
【０１５８】
以下に、図２１に示すフローチャートを用い、ＳＧで示すステップに従って本実施例の入力端末５１による申込書類発行処理について説明する。
本実施例の入力端末５１は、顧客による、ドルまたはユーロの外貨両替のための申込書類の選択入力等を受付け、これを基に、プリンタ５２へ印刷指示を送信して、両替窓口８または外貨両替ＡＴＭ１で外貨に両替するための申込書類を作成して発行する申込書類発行処理を行う。
【０１５９】
金融機関の店舗の係員が、始業時等に入力端末５１へ電源を投入すると、入力端末５１にインストールされている入力端末処理プログラムが自動的に起動される。
ＳＧ１：入力端末処理プログラムが起動すると、入力端末５１は、その表示画面に「いらっしゃいませ。申込書類を作成する場合は画面にタッチしてください」等の来店に対する謝意を表す文言、入力操作の開始方法等を表示した待機画面を表示してステップＳＧ２へ移行する。
【０１６０】
ＳＧ２：入力端末５１は、タッチパネル入力機能によって顧客による指触を監視しながら、タッチパネル入力機能による顧客の指触を待つ顧客待ち状態で待機しており、タッチパネル入力機能から顧客による指触信号が出力されたときに、顧客の申込書類作成意思を確認してステップＳＧ３へ移行する。
指触信号が出力されていない場合、つまり顧客の申込書類作成意思を確認できない場合は、ステップＳＧ１へ戻り、その表示画面に待機画面を表示しながら、ステップＳＧ２による顧客待ち状態での待機を継続する。
【０１６１】
ＳＧ３：顧客の申込書類作成意思を確認した入力端末５１は、その表示画面に外貨種別選択画面（図２０参照）を表示して顧客による選択ボタンの押下を待って待機する。
外貨種別選択画面には、外貨種別の選択を促す旨の文言、外貨種別毎の選択ボタン、および後のステップＳＧ１２で発行される申込書類を用いて両替窓口８または外貨両替ＡＴＭ１での両替が可能である旨の文言等が表示される。
本実施例の外貨種別選択画面には、選択ボタンとして「ドル」と「ユーロ」が表示され、顧客は、両替窓口８または外貨両替ＡＴＭ１で日本円をドルに両替する場合は「ドル」ボタンを押下し、両替窓口８でユーロに両替する場合は「ユーロ」ボタンを押下する。
【０１６２】
ＳＧ４：顧客が選択ボタンを押下したことを認識した入力端末５１は、「ドル」ボタンが押下された場合は、ドルの金種別内訳枚数を入力するための両替外貨内訳入力画面（実施例１の図１０と同様の画面）を、「ユーロ」ボタンが押下された場合は、ユーロの金種別内訳枚数を入力するための両替外貨内訳入力画面（実施例１の図１１と同様の画面）を、その表示画面に表示する。
【０１６３】
両替外貨内訳入力画面には、選択した外貨種別の内訳枚数の入力を促す旨の文言、選択された外貨種別の金種別の選択ボタン、および金種別に両替する内訳枚数の入力欄、内訳枚数を入力するためのテンキー、入力の間違いを訂正するための「訂正」ボタン、入力の終了を指示するための「確認」ボタン等が表示される。
本実施例では、顧客は金種別の選択ボタンを押下しながらその入力欄にテンキーにより希望する内訳枚数を入力し、金種別の内訳枚数の入力を終えたときに「確認」ボタンを押下する。
【０１６４】
ＳＧ５：「確認」ボタンの押下によりドルまたはユーロの金種別内訳枚数の入力終了を認識した入力端末５１は、選択された外貨種別（本ステップではドルまたはユーロ）に対する両替レートを取得するために、選択された外貨種別を含む両替レート取得要求を店内ネットワーク４を介して管理サーバ２（ステップＳＣ５）へ送信し、管理サーバ２のサーバ制御部２ａは、両替レート格納部２ｃの外貨種別毎の格納エリアから、両替レート取得要求の外貨種別に該当する最新の両替レートを読出し、読出した両替レートを送信元の入力端末５１へ送信し、入力端末５１は、選択された外貨種別に対する最新の両替レートを取得する。
【０１６５】
そして、入力端末５１は、その時計機能により認識した、両替レートを取得した現在日時を両替レート取得日時として図示しない記憶部に一時保存してステップＳＧ６へ移行する。
ＳＧ６：最新の両替レートを取得した外貨両替ＡＴＭ１の入力端末５１は、入力された外貨の金種別の内訳枚数を基に両替する外貨の総額を算出し、これに取得した両替レートを乗じて、両替窓口８での両替に必要な費用として日本円の支払額を算出する。
【０１６６】
ＳＧ７：支払額の算出を終えた入力端末５１は、ステップＳＧ５で一時保存した両替レート取得日時、その時点で取得した両替レート、ステップＳＧ６で算出した外貨の総額と、それに相当する日本円の支払額、ステップＳＧ４で入力された外貨種別とその金種別の内訳枚数等からなる申込情報を生成し、生成した申込情報を、管理サーバ２（ステップＳＣ７）へ送信し、管理サーバ２のサーバ制御部２ａは、受信した申込情報を、記憶部２ｂの申込情報格納部２ｅに、付与した照会番号に対応させて格納し、付与した照会番号と「待機中」の外貨両替ＡＴＭ１の機番を含む照会番号通知を、送信元の入力端末５１へ送信する。
【０１６７】
ＳＧ８：申込情報の送信後に、管理サーバ２（ステップＳＣ１２）から送信される照会番号通知の受信を待って待機していた入力端末５１は、管理サーバ２からの照会番号通知を受信して、当該申込情報の照会番号と「待機中」の外貨両替ＡＴＭ１の機番を取得する。
【０１６８】
ＳＧ９：照会番号と「待機中」の外貨両替ＡＴＭ１の機番を取得した入力端末５１は、両替する外貨種別としてとして「ドル」が選択されている場合であって、受信した照会番号通知に「待機中」の外貨両替ＡＴＭ１の機番が含まれている場合、つまり自動で両替することが可能な待機中の外貨両替ＡＴＭ１が存在する場合は、待機外貨両替ＡＴＭ誘導画面の表示を判定してステップＳＧ１１へ移行する。両替する外貨種別としてとして「ユーロ」が選択されている場合、または照会番号通知に「待機中」の外貨両替ＡＴＭ１の機番が含まれていない場合は、両替窓口誘導画面の表示を判定してステップＳＧ１０へ移行する。
【０１６９】
ＳＧ１０：両替窓口誘導画面の表示を判定した入力端末５１は、一時保存した両替レート取得日時、取得した両替レート、算出した日本円の支払額、入力された外貨種別とその金種別の内訳枚数、ステップＳＧ１２で発行する照会番号が印刷された申込書類を両替窓口８に提出して、表示した支払額に相当する日本円と共に提出すれば、選択した外貨種別の外国紙幣を内訳枚数に分けて受取ることができる旨の文言等を表示した両替窓口誘導画面を表示してステップＳＧ１２へ移行する。
【０１７０】
ＳＧ１１：待機外貨両替ＡＴＭ誘導画面の表示を判定した入力端末５１は、一時保存した両替レート取得日時、取得した両替レート、入力された外貨種別とその金種別の内訳枚数、算出した日本円の支払額、取得した「待機中」の外貨両替ＡＴＭ１の全ての機番、表示した機番の外貨両替ＡＴＭ１で、ステップＳＧ１２で発行する申込書類に印刷された照会番号を入力して、表示した支払額に相当する日本円を入金すれば、または、ステップＳＧ１２で発行する照会番号が印刷された申込書類を両替窓口８に提出して、表示した支払額に相当する日本円と共に提出すれば、選択した外貨種別の外国紙幣を内訳枚数に分けて受取ることができる旨の文言等を表示した待機外貨両替ＡＴＭ誘導画面を表示してステップＳＧ１２へ移行する。
【０１７１】
ＳＧ１２：両替窓口誘導画面、または待機外貨両替ＡＴＭ誘導画面を表示した入力端末５１は、両替窓口８または「待機中」の外貨両替ＡＴＭ１での外貨両替取引に用いる申込書類の印刷処理を実行する。
すなわち、入力端末５１は、ステップＳＧ１０から移行した場合は、発行日付、上記ステップＳＧ８で取得した照会番号、入力された外貨種別とその金種別の内訳枚数、日本円の支払額等からなる、ステップＳＧ１１から移行した場合は、前記に加えて、ステップＳＧ８で取得した「待機中」の外貨両替ＡＴＭ１の全ての機番等からなる文字情報の印刷データを生成し、その印刷データを含む印刷指示をプリンタ５２へ送信し、プリンタ５２は、受信した印刷指示を基に、照会番号等の文字情報を印刷した外貨両替のための申込書類を印刷し、印刷した申込書類を排出する。
【０１７２】
また、印刷指示を送信した入力端末５１は、プリンタ５２から排出される申込書類の受取りを促す旨の文言、受取りの終了を指示するための「確認」ボタン等が表示された申込書類受取依頼画面を表示し、顧客による「確認」ボタンの押下を待って待機する。
本実施例では、顧客はプリンタ５２から排出された申込書類を受取って「確認」ボタンを押下する。
【０１７３】
ＳＧ１３：顧客による「確認」ボタンの押下を待って待機していた入力端末５１は、タッチパネル入力機能によって「確認」ボタンの押下を検知したときに、今回の申込書類発行処理を終了させ、ステップＳＧ１へ戻り、その表示画面に待機画面を表示しながら、ステップＳＧ２による顧客の指触を待つ顧客待ち状態での待機を継続する。
一方、顧客は、発行された申込書類を、印刷された機番の外貨両替ＡＴＭ１または両替窓口８へ持参して外貨への両替を行う。
【０１７４】
以下に、図２２に示すフローチャートを用い、ＳＨで示すステップに従って本実施例の窓口端末３による端末業務処理について説明する。
本実施例の両替窓口８では、顧客が提出した、外貨両替ＡＴＭ１、縮退時処理中の外貨両替ＡＴＭ１、ＡＴＭ４０、または入力端末５１で発行された照会番号等に文字情報が印刷された申込書類を窓口係員（図１３参照）に提出し、申込書類を受取った窓口係員は、窓口端末３を用いて、両替窓口８における外貨両替取引を行う。
両替窓口８の窓口係員が、始業時等に窓口端末３へ電源を投入すると、窓口端末３の記憶部３２に格納されている端末業務処理プログラムが自動的に起動される。
【０１７５】
ＳＨ１：端末業務処理プログラムが起動すると、窓口端末３の制御部３１は、表示部３３の表示画面に、両替窓口８における外貨両替取引のための「外貨両替」ボタン等の業務選択ボタンを表示した業務選択画面を表示し、窓口係員による業務選択ボタンの押下を待って待機し、窓口係員が業務選択ボタンを押下したときにステップＳＨ２へ移行する。業務選択ボタンが押下されていない場合は、前記の待機を継続する。
【０１７６】
本実施例では、操作者である窓口係員は、受取った申込書類を窓口端末３の画像情報読取部３６のスキャナにセットして「外貨両替」ボタンを押下する。
ＳＨ２：「外貨両替」ボタンの押下により窓口係員が選択した業務を外貨両替取引と認識した制御部３１は、画像情報読取部３６によってセットされた申込書類に印刷された文字情報の画像を読取り、その画像から照会番号を読出し、これを文字データに変換してステップＳＨ３へ移行する。
【０１７７】
ＳＨ３：申込書類に印刷された照会番号を読取った制御部３１は、読取った照会番号の申込情報を取得するために、読取った照会番号の文字データを含む申込情報取得要求を管理サーバ２（ステップＳＣ１３）へ送信し、管理サーバ２のサーバ制御部２ａは、記憶部２ｂの申込情報格納部２ｅから、申込情報取得要求の照会番号に該当する申込情報を読出し、読出した申込情報を送信元の窓口端末３へ送信し、窓口端末３の制御部３１は、読取った照会番号の申込情報を取得する。
【０１７８】
ＳＨ４：申込情報を取得した制御部３１は、取得した申込情報等を表示した申込情報確認画面を表示部３３の表示画面に表示する。
このとき、顧客がＡＴＭ４０で申込書類の発行を受けていた場合は、両替に要する費用を予め支払った旨の文言（「支払済」等）が表示される。
窓口係員は、表示された申込情報の表示内容を確認すると共に、表示された申込情報に両替に要する費用を予め支払った旨の情報が表示されていること、または受取った申込書類に「支払済」等の文言が印刷されていることを確認して、入力部３４の「確認」キーを押下する。
【０１７９】
ＳＨ５：「確認」キーの押下により表示した申込情報の確認終了を認識した制御部３１は、取得した申込情報に、両替に要する費用を予め支払った旨の情報が含まれていない場合は、両替に要する費用の入金が必要と判定してステップＳＨ６へ移行する。
取得した申込情報に、両替に要する費用を予め支払った旨の情報が含まれている場合は、両替に要する費用は支払済と判定してステップＳＨ１０へ移行する。
【０１８０】
ＳＨ６：両替に要する費用を予め支払った旨の情報が含まれていないことにより、両替に要する費用の入金が必要と判定した制御部１１は、表示部３３の表示画面に、申込情報の両替する外貨の総額に相当する日本円の支払額を表示すると共に、支払額に相当する日本の通貨の投入を促す旨の文言等を表示する。
窓口係員は、表示された支払額を顧客に確認させて支払額に相当する日本円を受取り、受取った日本円が表示された日本円の支払額以上であることを確認して、入力部３４の「確認」キーを押下する。
【０１８１】
ＳＨ７：「確認」キーの押下を認識した制御部３１は、紙幣入出金部３７の紙幣入出金口および硬貨入出金部３８の硬貨入出金口のシャッタを開放して窓口係員による通貨の投入を待って待機し、紙幣入出金口および／もしくは硬貨入出金口に、紙幣および／もしくは硬貨が投入されたときに、それぞれのシャッタを閉鎖し、紙幣入出金部３７および／もしくは硬貨入出金部３８によって、投入された通貨を鑑別および計数して一時保留する支払通貨取込処理を実行し、計数した金種別の枚数を基に顧客が投入した通貨の投入額を算出する。
【０１８２】
ＳＨ８：投入額の算出を終えた制御部３１は、表示部３３の表示画面に、投入額の確認を促す旨の文言等を表示して、窓口係員による「確認」キーの押下を待って待機し、「確認」キーが押下されたときにステップＳＨ９へ移行する。
窓口係員は、表示された投入額を顧客に確認して、入力部３４の「確認」キーを押下する。
ＳＨ９：「確認」キーの押下により投入額の確定を認識した制御部３１は、一時保留した通貨をそれぞれの収納庫に収納する支払通貨収納処理を実行する。
このとき、釣銭が必要な場合は、それぞれの収納庫から釣銭に相当する通貨を繰出し、鑑別および計数後に、紙幣入出金口および／もしくは硬貨入出金口に集積し、集積した入出金口のシャッタを開放して窓口係員に釣銭を引渡す。
【０１８３】
ＳＨ１０：支払通貨収納処理もしくは窓口係員への釣銭の引渡しを終えた、または上記ステップＳＨ５で両替に要する費用は支払済と判定した制御部３１は、印刷部３５によって、ステップＳＨ３で取得した申込情報を基に、両替の申込書の書式に従った申込書を印刷して排出すると共に、取引日時や今回の外貨両替取引における外貨の総額や支払額等の取引情報を印刷した明細票を排出する。
【０１８４】
そして、制御部３１は、申込書や明細票の窓口係員による受取りを待って待機し、窓口係員による申込書や明細票の受取りを確認したときに、今回の端末業務処理を終了させ、ステップＳＨ１へ戻って、表示部３３の表示画面に業務選択画面を表示しながら、窓口係員による業務選択ボタンの押下を待って待機する。
一方、窓口係員は、排出された申込書に顧客の署名を求め、顧客が申込書に署名すると、排出された明細票と共に、申込書類である申込書類に印刷された外貨種別の外国紙幣を内訳枚数に分けて顧客に手渡す。このとき釣銭が排出された場合は、排出された釣銭を顧客に返却する。
このようにして、本実施例の窓口端末３による端末業務処理が実行される。
【０１８５】
以上説明したように、本実施例の外貨両替ＡＴＭ１の常時の外貨両替処理（図５、図１６参照）では、上記実施例１の常時の外貨両替処理と同様の効果に加えて、ＡＴＭ４０や入力端末４１で申込書類の発行を受けた顧客は、外貨両替ＡＴＭ１で申込書類に印刷された照会番号を入力すれば、外貨両替ＡＴＭ１が収納している外貨（本実施例ではドル）への両替を行うことができ、両替窓口８での窓口担当者による両替作業を省略して、外貨両替における業務の効率化を図ることができる。
【０１８６】
また、本実施例の外貨両替ＡＴＭ１の縮退時処理（図１７参照）では、上記実施例１の縮退時処理と同様の効果に加えて、申込書類の発行を受けた顧客は、待機中となっている外貨両替ＡＴＭ１で申込書類に印刷された照会番号を入力すれば、外貨両替ＡＴＭ１が収納している外貨（本実施例ではドル）への両替を行うことができ、両替窓口８での窓口担当者による両替作業を省略して、外貨両替における業務の効率化を図ることができる。
【０１８７】
なお、本実施例では、管理サーバ２が申込情報の送信時に、待機中の外貨両替ＡＴＭ１に機番を通知するとして説明したが、各外貨両替ＡＴＭ１の稼働状態を窓口端末３で管理するようにして、両替窓口８に申込書類を持参した顧客に、待機中の外貨両替ＡＴＭ１を案内するようにしてもよい。
また、本実施例では、プリンタ５２は入力端末１４に接続するとして説明したが、プリンタ５２を入力端末５１に内蔵するようにしてもよい。
【０１８８】
なお、上記各実施例において、申込書類の発行を受けた顧客の支払額を、両替レート取得日時における両替レートで算出するのは、仮に、顧客が両替窓口で両替するときにその時点での最新の両替レートで日本円の支払額を支払うようにすると、申込書類の発行を受けた顧客が両替窓口８に申込書類を提出するまでの待ち時間の間に、最新の両替レートが増減したときは、両替窓口８での日本円の支払額が増減し、上記各実施例の外貨両替ＡＴＭ１では両替できない外貨（上記各実施例では、ユーロ）が存在することを知っていた顧客が、直接、両替窓口８へ出向いて同時刻に両替したときの日本円の支払額と相違することになるためである。
【０１８９】
また、上記各実施例においては、申込書類の発行を受けた顧客の支払額を、両替レート取得日時における両替レートで算出し、その支払額を申込書類に印刷するとして説明したが、申込書類への支払額の印刷を省略して、両替窓口８に申込書類を提出したときに、窓口係員が窓口端末３によって管理サーバ２からその時点の最新の両替レートを取得して、顧客に支払額を通知するようにしてもよい。このように、両替レートについては、どの時点で取得した両替レートを用いるかは、適宜設定することができる。
【０１９０】
更に、上記各実施例においては、申込書類はレシート用紙に印刷するとして説明したが、  申込情報等を、外貨両替に用いる申込書の書式に従って印刷した申込書を発行し、顧客が申込書に署名して提出するようにしてもよい。
このようにすれば、両替窓口８における申込書の印刷や顧客による署名時間を省略して、両替窓口８における応対時間を更に短縮することができる。
この場合には、申込書の偽造を防止するために、申込書の紙質を偽造が困難な特殊な紙質にするとよい。
【０１９１】
更に、上記各実施例においては、外貨両替ＡＴＭ１や入力端末５１で申込書類の発行を受けた顧客が、直ぐに両替窓口８での順番待ちをする場合を例に説明したが、申込書類に受付番号を印刷するようにしてもよい。このようにすれば、両替窓口８における顧客の順番待ちの待機時間を短縮することが可能になると共に、両替窓口８の混雑状況によって後刻（例えば翌日）に両替窓口８に申込書類を持参する顧客を未然に防止することができる。
【０１９２】
この場合に、前記受付番号に替えて、申込書類に両替窓口８へ申込書類を提出するまでの有効時間をその説明文と共に印刷するようにしてもよい。
このようにすれば、有効時間の間に両替レートが増減しても、申請書類に印刷した支払額のまま外貨への両替を行うことができ、両替窓口８における最新の両替レートの取得、支払額の通知に要する時間を省略して、外貨両替における窓口業務の効率化を図ることができると共に、外貨両替における手続きの簡素化を図ることができる。
【０１９３】
更に、上記各実施例においては、両替窓口８の窓口端末３に設けた画像情報読取部３６のスキャナによって、申込書類に印刷されたバーコードや文字情報を読取るとして説明したが、外貨両替ＡＴＭ１やＡＴＭ４０に画像情報読取部を設けて、バーコードや文字情報を読取り、これを基に申込情報の解読や申込情報の取得を行うようにしてもよい。
更に、上記各実施例においては、外貨への両替に要する費用である入金額や支払額は、日本の通貨を外貨両替ＡＴＭ１やＡＴＭ４０に投入して行うとして説明したが、外貨両替ＡＴＭ１やＡＴＭ４０のカード取扱部に挿入した取引カード、または通帳取扱部に挿入した通帳によって両替に要する費用を入金するようにしてもよい。
【０１９４】
更に、上記各実施例においては、両替窓口８で申込書に署名するとして説明したが、申込書に押印欄を設けて押印するようにしてもよい。このようにすれば、本人確認の信頼性を高めることができる。
更に、上記各実施例においては、レシート発行部１５とカード取扱部１４とは別に設けるとして説明したが、レシート発行部１５をカード取扱部１４に内蔵するようにしてもよい。この場合には、カード挿入口をレシート発行口１５ａとして機能させるようにするとよい。
【０１９５】
更に、上記各実施例においては、日本の通貨を外国の通貨に両替する場合を例に説明したが、本発明の外貨両替ＡＴＭ１を外国に設置する場合は、当該国の通貨を日本円等の外貨に両替するようにするとよい。
更に、上記各実施例においては、自動取引装置は、外貨両替ＡＴＭであるとして説明したが、自動取引装置は前記に限らず、外貨両替専用の外貨両替機であってもよい。この場合には、カード取扱部や通帳取扱部は省略される。
【符号の説明】
【０１９６】
１    外貨両替ＡＴＭ
２    管理サーバ
２ａ  サーバ制御部
２ｂ、１２、３２、４２  記憶部
２ｃ  両替レート格納部
２ｄ  稼働状態格納部
２ｅ  申込情報格納部
３    窓口端末
４    店内ネットワーク
６    両替レート配信サーバ
７    通信回線
８    両替窓口
１１、３１、４１  制御部
１３、４３  操作表示部
１３ａ、４３ａ  顧客検知センサ
１４、４４  カード取扱部
１５  レシート発行部
１５ａ  レシート発行口
１６、４６  通帳取扱部
１７、３７、４７  紙幣入出金部
１７ａ  紙幣入出金口
１８、３８，４８  硬貨入出金部
１９  外貨出金部
２１  外貨収納庫
２２  外貨搬送路
２３  外貨鑑別部
３３  表示部
３４  入力部
３５  印刷部
３６  画像情報読取部
【図１】
0006569390.tif 000002
【図２】
0006569390.tif 000003
【図３】
0006569390.tif 000004
【図４】
0006569390.tif 000005
【図５】
0006569390.tif 000006
【図６】
0006569390.tif 000007
【図７】
0006569390.tif 000008
【図８】
0006569390.tif 000009
【図９】
0006569390.tif 000010
【図１０】
0006569390.tif 000011
【図１１】
0006569390.tif 000012
【図１２】
0006569390.tif 000013
【図１３】
0006569390.tif 000014
【図１４】
0006569390.tif 000015
【図１５】
0006569390.tif 000016
【図１６】
0006569390.tif 000017
【図１７】
0006569390.tif 000018
【図１８】
0006569390.tif 000019
【図１９】
0006569390.tif 000020
【図２０】
0006569390.tif 000021
【図２１】
0006569390.tif 000022
【図２２】
0006569390.tif 000023